(57)【要約】  特定の実施形態によれば、軽度接続状態にあるユーザ機器（ＵＥ）のページングを可能にするための、第１のネットワークノードによる方法が提供される。本方法は、ＵＥが接続状態にある間に、またはＵＥのための初期コンテキストセットアップ中に、第１のネットワークノードが、ＵＥのためのＵＥ識別情報インデックス値を受信することを含む。ＵＥ識別情報インデックス値は記憶される。本方法は、ＵＥを接続状態から軽度接続状態に遷移させることと、ＵＥが接続状態にあった間に記憶されたＵＥ識別情報インデックス値を使用して、ＵＥをページングすることとをさらに含む。ＵＥ識別情報インデックス値は、ＭＭＥから、または隣接ネットワークノードから、またはＵＥから受信され得る。【選択図】図３
2019537368.tif 000002
【特許請求の範囲】
【請求項１】
非アクティブ状態にあるユーザ機器（ＵＥ）（１１０）のページングを可能にするための第１のネットワークノード（２０４Ａ）による方法（５００）であって、前記方法が、
前記ＵＥが接続状態にある間に、または前記ＵＥのための初期コンテキストセットアップ中に、前記第１のネットワークノードによって、前記ＵＥのためのＵＥ識別情報インデックス値を受信することと、
前記ＵＥ識別情報インデックス値を記憶することと、
前記ＵＥを前記接続状態から非アクティブ状態に遷移させることと、
前記ＵＥにページを送信するためのページングオケージョンを決定するために、前記ＵＥ識別情報インデックス値を使用することと、
前記ページングオケージョンにおいて、前記ＵＥに前記ページを送信することと
を含む、方法（５００）。
【請求項２】
前記接続状態が軽度接続状態を含む、請求項１に記載の方法。
【請求項３】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項１または２に記載の方法。
【請求項４】
前記ＵＥ識別情報インデックス値を記憶することが、前記ＵＥの状態を接続されているものとして指示するＵＥコンテキストとともに、前記ＵＥ識別情報インデックス値を記憶することを含む、請求項１から３のいずれか一項に記載の方法。
【請求項５】
前記ＵＥ識別情報インデックス値が、前記ＵＥからのメッセージ中で受信される、請求項１から４のいずれか一項に記載の方法。
【請求項６】
前記ＵＥ識別情報インデックス値が、コアネットワークノード（２０２）からのメッセージ中で受信され、前記メッセージが、
ハンドオーバ要求と、
初期コンテキストセットアップ要求と、
ダウンリンクＮＡＳトランスポートメッセージと、
経路切替え要求肯定応答メッセージと
のうちの少なくとも１つを含む、請求項１から４のいずれか一項に記載の方法。
【請求項７】
第２のネットワークノード（２０４Ｂ）による前記ＵＥへの前記ページの送信のために、前記第１のネットワークノードによって、前記ＵＥ識別情報インデックス値を前記第２のネットワークノードに送信すること
をさらに含む、請求項１から６のいずれか一項に記載の方法。
【請求項８】
前記ＵＥ識別情報インデックス値が、ページング要求中で前記第２のネットワークノードに送信される、請求項７に記載の方法。
【請求項９】
前記ＵＥを前記非アクティブ状態に遷移させる前に、および前記ＵＥが接続状態にある間に、前記第１のネットワークノードによって、前記ＵＥ識別情報インデックス値を第２のネットワークノードに送信すること
をさらに含む、請求項１から６のいずれか一項に記載の方法。
【請求項１０】
前記ＵＥ識別情報インデックス値が、メッセージ中で前記第２のネットワークノードに送信され、前記メッセージが、
ハンドオーバ要求、または
前記第２のネットワークノードからのＵＥコンテキスト要求に対する応答
を含む、請求項９に記載の方法。
【請求項１１】
前記第１のネットワークノードが、ターゲットネットワークノードであり、前記ＵＥのための前記ＵＥ識別情報インデックス値が、ソースネットワークノードから受信される、請求項１から８のいずれか一項に記載の方法。
【請求項１２】
前記ＵＥ識別情報インデックス値が、Ｘ２インターフェース（２０６）を介して、前記第１のネットワークノードによって受信されるか、または前記第２のネットワークノードに送信される、請求項９から１１のいずれか一項に記載の方法。
【請求項１３】
前記ＵＥを前記接続状態から前記非アクティブ状態に遷移させることは、
中断メッセージまたは解放メッセージを前記ＵＥに送信することであって、前記中断メッセージまたは前記解放メッセージが、前記ＵＥに、前記非アクティブ状態またはスリープ状態に入るように命じる、送信すること
を含む、請求項１から１２のいずれか一項に記載の方法。
【請求項１４】
非アクティブ状態にあるユーザ機器（ＵＥ）（１１０）のページングを可能にするための第１のネットワークノード（２０４Ａ）であって、前記ネットワークノードが、
命令を記憶するメモリ（４３０）と、
前記第１のネットワークノードに、
前記ＵＥが接続状態にある間に、または前記ＵＥのための初期コンテキストセットアップ中に、前記ＵＥのためのＵＥ識別情報インデックス値を受信することと、
前記ＵＥ識別情報インデックス値を記憶することと、
前記ＵＥを前記接続状態から非アクティブ状態に遷移させることと、
前記ＵＥにページを送信するためのページングオケージョンを決定するために、前記ＵＥ識別情報インデックス値を使用することと、
前記ページングオケージョンにおいて、前記ＵＥに前記ページを送信することと
を行わせるために、前記命令を実行するように構成された処理回路構成（４２０）と
を備える、第１のネットワークノード（２０４Ａ）。
【請求項１５】
前記接続状態が軽度接続状態を含む、請求項１４に記載の第１のネットワークノード。
【請求項１６】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項１４または１５に記載の第１のネットワークノード。
【請求項１７】
前記ＵＥ識別情報インデックス値を記憶することが、前記ＵＥの状態を接続されているものとして指示するＵＥコンテキストとともに、前記ＵＥ識別情報インデックス値を記憶することを含む、請求項１４から１６のいずれか一項に記載の第１のネットワークノード。
【請求項１８】
前記ＵＥ識別情報インデックス値が、前記ＵＥからのメッセージ中で受信される、請求項１４から１７のいずれか一項に記載の第１のネットワークノード。
【請求項１９】
前記ＵＥ識別情報インデックス値が、コアネットワークノード（２０２）からのメッセージ中で受信され、前記メッセージが、
ハンドオーバ要求と、
初期コンテキストセットアップ要求と、
ダウンリンクＮＡＳトランスポートメッセージと、
経路切替え要求肯定応答メッセージと
のうちの少なくとも１つを含む、請求項１４から１７のいずれか一項に記載の第１のネットワークノード。
【請求項２０】
前記処理回路構成が、前記第１のネットワークノードに、
第２のネットワークノード（２０４Ｂ）による前記ＵＥへの前記ページの送信のために、前記ＵＥ識別情報インデックス値を前記第２のネットワークノードに送信すること
を行わせるために、前記命令を実行するようにさらに構成された、請求項１４から１９のいずれか一項に記載の第１のネットワークノード。
【請求項２１】
前記ＵＥ識別情報インデックス値が、ページング要求中で前記第２のネットワークノードに送信される、請求項２０に記載の第１のネットワークノード。
【請求項２２】
前記処理回路構成が、前記第１のネットワークノードに、
前記ＵＥを前記非アクティブ状態に遷移させる前に、および前記ＵＥが接続状態にある間に、前記ＵＥ識別情報インデックス値を第２のネットワークノードに送信すること
を行わせるために、前記命令を実行するようにさらに構成された、請求項１４から１９のいずれか一項に記載の第１のネットワークノード。
【請求項２３】
前記ＵＥ識別情報インデックス値が、メッセージ中で前記第２のネットワークノードに送信され、前記メッセージが、
ハンドオーバ要求、または
前記第２のネットワークノードからのＵＥコンテキスト要求に対する応答
を含む、請求項２２に記載の第１のネットワークノード。
【請求項２４】
前記第１のネットワークノードが、ターゲットネットワークノードであり、前記ＵＥのための前記ＵＥ識別情報インデックス値が、ソースネットワークノードから受信される、請求項１４から２１のいずれか一項に記載の第１のネットワークノード。
【請求項２５】
前記ＵＥ識別情報インデックス値が、Ｘ２インターフェース（２０６）を介して、前記第１のネットワークノードによって受信されるか、または前記第２のネットワークノードに送信される、請求項２２から２４のいずれか一項に記載の第１のネットワークノード。
【請求項２６】
前記ＵＥを前記接続状態から前記非アクティブ状態に遷移させることは、
中断メッセージまたは解放メッセージを前記ＵＥに送信することであって、前記中断メッセージまたは前記解放メッセージが、前記ＵＥに、前記非アクティブ状態またはスリープ状態に入るように命じる、送信すること
を含む、請求項１４から２５のいずれか一項に記載の第１のネットワークノード。
【請求項２７】
非アクティブ状態にあるユーザ機器（ＵＥ）(１１０)をページングするための第１のネットワークノード（２０４Ｂ）による方法（７００）であって、前記方法が、
第２のネットワークノード（２０４Ａ）から、前記非アクティブ状態にある前記ＵＥのためのＵＥ識別情報インデックス値を受信することと、
前記非アクティブ状態にある前記ＵＥにページを送信するためのページングオケージョンを決定するために、前記ＵＥ識別情報インデックス値を使用することと、
前記ページングオケージョンにおいて、前記非アクティブ状態にある前記ＵＥに前記ページを送信することと
を含む、方法（７００）。
【請求項２８】
前記ＵＥ識別情報インデックス値が、ページング要求とともに前記第２のネットワークノードから受信される、請求項２７に記載の方法。
【請求項２９】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項２７または２８に記載の方法。
【請求項３０】
前記ＵＥ識別情報インデックス値が、Ｘ２インターフェース（２０６）を介して、前記第２のネットワークノードから受信される、請求項２７から２９のいずれか一項に記載の方法。
【請求項３１】
非アクティブ状態にあるユーザ機器（ＵＥ）（１１０）のページングのための第１のネットワークノード（２０４Ｂ）であって、前記第１のネットワークノードが、
命令を記憶するメモリ（４３０）と、
前記第１のネットワークノードに、
第２のネットワークノード（２０４Ａ）から、前記非アクティブ状態にある前記ＵＥのためのＵＥ識別情報インデックス値を受信することと、
前記非アクティブ状態にある前記ＵＥにページを送信するためのページングオケージョンを決定するために、前記ＵＥ識別情報インデックス値を使用することと、
前記ページングオケージョンにおいて、前記非アクティブ状態にある前記ＵＥに前記ページを送信することと
を行わせるために、前記命令を実行するように構成された処理回路構成（４２０）と
を備える、第１のネットワークノード（２０４Ｂ）。
【請求項３２】
前記ＵＥ識別情報インデックス値が、ページング要求とともに前記第２のネットワークノードから受信される、請求項３１に記載の第１のネットワークノード。
【請求項３３】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項３１または３２に記載の第１のネットワークノード。
【請求項３４】
前記ＵＥ識別情報インデックス値が、Ｘ２インターフェース（２０６）を介して、前記第２のネットワークノードから受信される、請求項３１から３３のいずれか一項に記載の第１のネットワークノード。
【請求項３５】
非アクティブ状態にある間にページを受信するためのユーザ機器（ＵＥ）（１１０）による方法（１０００）であって、前記方法が、
前記ＵＥのためのＵＥ識別情報インデックス値を、ネットワークノード（２０４Ａ、２０４Ｂ）に送信することと、
前記ＵＥ識別情報インデックス値に基づいて、前記ネットワークノードからページを受信するためのページングオケージョンを決定することと、
前記ＵＥ識別情報インデックス値に基づいて決定された前記ページングオケージョンにおいて、前記ネットワークノードからの前記ページをリッスンすることと
を含む、方法（１０００）。
【請求項３６】
前記ＵＥ識別情報インデックス値に基づいて決定されたページングオケージョンにおいて、前記ネットワークノードから前記ページを受信すること
をさらに含む、請求項３５に記載の方法。
【請求項３７】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項３５または３６に記載の方法。
【請求項３８】
非アクティブ状態にある間にページを受信するためのユーザ機器（ＵＥ）（１１０）であって、前記ＵＥが、
命令を記憶する記憶装置（９３０）と、
前記ＵＥに、
前記ＵＥのためのＵＥ識別情報インデックス値を、ネットワークノード（２０４Ａ、２０４Ｂ）に送信することと、
前記ＵＥ識別情報インデックス値に基づいて、前記ネットワークノードからページを受信するためのページングオケージョンを決定することと、
前記ＵＥ識別情報インデックス値に基づいて決定された前記ページングオケージョンにおいて、前記ネットワークノードからの前記ページをリッスンすることと
を行わせるために、前記命令を実行するように構成された処理回路構成（９２０）と
を備える、ユーザ機器（ＵＥ）（１１０）。
【請求項３９】
前記ＵＥ識別情報インデックス値に基づいて決定されたページングオケージョンにおいて、前記ネットワークノードから前記ページを受信すること
をさらに備える、請求項３８に記載のＵＥ。
【請求項４０】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項３８または３９に記載のＵＥ。
【発明の詳細な説明】
【技術分野】
【０００１】
優先権の主張
本出願は、その開示が参照により本明細書に組み込まれる、２０１６年１１月１日に出願された、「ＥＮＡＢＬＩＮＧ  ＭＡＴＣＨＩＮＧ  ＰＡＧＩＮＧ  ＯＣＣＡＳＩＯＮＳ  ＦＯＲ  ＩＮＡＣＴＩＶＥ  ＵＥ」と題する米国特許仮出願第６２／４１５，８２０号の優先権を主張する。
【０００２】
本開示は、一般に、無線通信に関し、より詳細には、非アクティブ無線デバイスのためのページングオケージョンを整合することを可能にするためのシステムおよび方法に関する。
【背景技術】
【０００３】
３ＧＰＰリリース１４では、軽度接続（ｌｉｇｈｔｌｙ  ｃｏｎｎｅｃｔｅｄ）ユーザ機器（ＵＥ）または無線デバイスの概念が導入される。軽度接続ＵＥは、コアネットワーク（たとえば、ＭＭＥ）から見ると、軽度接続ＵＥがＥＣＭ接続されているように見えることがある。軽度接続ＵＥはまた、無線アクセスネットワーク（ＲＡＮ）におけるアイドルモード挙動を有し得、したがって、同じ基地局におけるセル間の、またはネットワークに通知することなしに他の基地局上のセルへの、モビリティを実施し得る。
【０００４】
ＲＡＮおよび／またはＲＡＮ中の基地局は、必要なときに軽度接続ＵＥを見つける責任を有する。たとえば、ＲＡＮは、基地局によってユーザデータが受信されたとき、または基地局がＮＡＳメッセージのような制御プレーン関係シグナリングを送信する必要があるとき、軽度接続ＵＥを見つける必要があり得る。基地局は、ＬＴＥにおけるＸ２インターフェースのような、２つの基地局間の直接インターフェースを介して、ＵＥをページングすることを別の基地局に要求し得る。
【０００５】
バッテリを節約するために、ＵＥは、ＵＥ識別情報インデックス値から導出された指定された時間においてページングをリッスンするにすぎない。ＬＴＥでは、ＵＥがＥＣＭ＿ＩＤＬＥであるとき、ＵＥ識別情報インデックス値は、ページングメッセージ中でコアネットワークから基地局に送られる。この情報から、ページングオケージョンが計算される。これはＴＳ３６．３０４に記載されており、それは以下で一部引用される。
ＰＦ、ＰＯ、およびＰＮＢは、システム情報において提供されるＤＲＸパラメータを使用して、以下の式によって決定される。
ＰＦは以下の等式によって与えられる。
ＳＦＮ  ｍｏｄ  Ｔ＝（Ｔ  ｄｉｖ  Ｎ）＊（ＵＥ＿ＩＤ  ｍｏｄ  Ｎ）
７．２において規定されているサブフレームパターンからＰＯを指すインデックスｉ＿ｓが、以下の計算から導出される。
ｉ＿ｓ＝ｆｌｏｏｒ（ＵＥ＿ＩＤ／Ｎ）  ｍｏｄ  Ｎｓ
Ｐ−ＲＮＴＩがＭＰＤＣＣＨ上で監視される場合、ＰＮＢは以下の式によって決定される。
ＰＮＢ＝ｆｌｏｏｒ（ＵＥ＿ＩＤ／（Ｎ＊Ｎｓ））  ｍｏｄ  Ｎｎ”
【０００６】
ＵＥ＿ＩＤは、ＵＥ識別情報インデックス値である。ＰＦは、ページングフレームであり、ページングフレームは、１０ミリ秒、またはＬＴＥにおける１０個のサブフレームであり得る。ＰＯは、ページングオケージョンであり、ページの送信のためのフレーム中の特有のサブフレームを識別する。ＰＮＢは、ＵＥがページングメッセージ受信を実施する、ページング狭帯域である。
【０００７】
軽度接続状態または非アクティブ状態にある間に、基地局がＵＥをページングする必要があり得る。しかしながら、残念ながら、非アクティブＵＥのページングをトリガする基地局は、基地局が、接続モードにあるＵＥのためのＵＥ＿ＩＤを必要としないので、キャンプオンしているＵＥがページングをリッスンしているときを計算するのに十分な情報を有しない。
【発明の概要】
【０００８】
既存の解決策に関する前述の問題に対処するために、非アクティブ無線デバイスのためのページングオケージョンを整合することを可能にするためのシステムおよび方法が開示される。
【０００９】
特定の実施形態によれば、非アクティブ状態にあるユーザ機器（ＵＥ）のページングを可能にするための、第１のネットワークノードによる方法が提供される。本方法は、ＵＥが接続状態にある間に、またはＵＥのための初期コンテキストセットアップ中に、第１のネットワークノードが、ＵＥのためのＵＥ識別情報インデックス値を受信することを含む。ＵＥ識別情報インデックス値は記憶される。本方法は、ＵＥを接続状態から非アクティブ状態に遷移させることをさらに含む。その場合、第１のネットワークノードは、ページングオケージョンを決定するためにＵＥ識別情報インデックス値を使用し、ページングオケージョンにおいてＵＥにページを送信し得る。
【００１０】
特定の実施形態によれば、非アクティブ状態にあるユーザ機器（ＵＥ）のページングを可能にするための、第１のネットワークノードが提供される。本第１のネットワークノードは、命令を記憶するメモリと、ＵＥが接続状態にある間に、またはＵＥのための初期コンテキストセットアップ中に、本第１のネットワークノードに、ＵＥのためのＵＥ識別情報インデックス値を受信することを行わせるために命令を実行するように設定された処理回路構成とを含む。本第１のネットワークノードはＵＥ識別情報インデックス値を記憶する。ＵＥは、接続状態から非アクティブ状態に遷移され、本第１のネットワークノードは、ページングオケージョンを決定するためにＵＥ識別情報インデックス値を使用し、ページングオケージョンにおいてＵＥにページを送信する。
【００１１】
特定の実施形態によれば、非アクティブ状態にあるＵＥをページングするための、第１のネットワークノードによる方法が提供される。本方法は、第２のネットワークノードから、非アクティブ状態にあるＵＥのためのＵＥ識別情報インデックス値を受信することを含む。第１のネットワークノードは、非アクティブ状態にあるＵＥにページを送信するためのページングオケージョンを決定するために、ＵＥ識別情報インデックス値を使用する。ページングオケージョンにおいて、第１のネットワークノードは、非アクティブ状態にあるＵＥにページを送信する。
【００１２】
特定の実施形態によれば、非アクティブ状態にあるＵＥをページングするための、第１のネットワークノードが提供される。本第１のネットワークノードは、命令を記憶するメモリと、本第１のネットワークノードに、第２のネットワークノードから、非アクティブ状態にあるＵＥのためのＵＥ識別情報インデックス値を受信することを行わせるために命令を実行するように設定された処理回路構成とを含む。ＵＥ識別情報インデックス値は、非アクティブ状態にあるＵＥにページを送信するためのページングオケージョンを決定するために使用される。ページングオケージョンにおいて、ページは、非アクティブ状態にあるＵＥに送信される。
【００１３】
特定の実施形態によれば、非アクティブ状態にある間にページを受信するためのＵＥによる方法が提供される。本方法は、ＵＥ識別情報インデックス値をネットワークノードに送信することを含む。ＵＥ識別情報インデックス値に基づいて、ネットワークノードからページを受信するためのページングオケージョンが決定される。ＵＥ識別情報インデックス値に基づいて決定されたページングオケージョンにおいて、ＵＥは、ネットワークノードからのページをリッスンする。
【００１４】
特定の実施形態によれば、非アクティブ状態にある間にページを受信するためのＵＥが提供される。本ＵＥは、命令を記憶する記憶装置と、本ＵＥに、ＵＥ識別情報インデックス値をネットワークノードに送信することを行わせるために命令を実行するように設定された処理回路構成とを含む。ＵＥ識別情報インデックス値に基づいて、ネットワークノードからページを受信するためのページングオケージョンが決定される。ＵＥ識別情報インデックス値に基づいて決定されたページングオケージョンにおいて、本ＵＥは、ネットワークノードからのページをリッスンする。
【００１５】
本開示の特定の実施形態は、１つまたは複数の技術的利点を提供し得る。たとえば、特定の実施形態は、ＵＥが非アクティブ状態にある間に、ネットワークノードがＵＥにページを送信することによって、ページングオケージョンの整合を可能にし得る。たとえば、特有の実施形態では、無線アクセスネットワーク（ＲＡＮ）が、ページングメッセージをトリガすることを担うとき、基地局は、ＵＥがページングをリッスンしている時間を計算し得る。別の利点は、基地局のようなネットワークノードが、ＵＥがページングをリッスンしている時間を別の基地局に対して指示し、ＵＥをページングすることを他の基地局に要求することを、特定の実施形態が可能にすることであり得る。さらに別の利点は、同じＵＥ識別情報インデックス値が使用されるので、コアノードトリガされるページングのためのページングオケージョンと同じページングオケージョンを、ＲＡＮネットワークトリガされるページングのために使用することを、特定の実施形態が可能にすることであり得る。このような技法は、ＲＡＮページングとコアノードページングの両方を受信しているＵＥのバッテリ性能を最適化し得る。
【００１６】
他の利点は、当業者に容易に明らかになり得る。特定の実施形態は、具陳された利点のいずれをも有しないか、いくつかを有するか、またはすべてを有し得る。
【００１７】
開示された実施形態ならびにこれらの特徴および利点をより完全に理解するために、添付の図面とともに以下の説明に対する参照がなされる。
【図面の簡単な説明】
【００１８】
【図１】特定の実施形態による、非アクティブ状態にあるユーザ機器（ＵＥ）のページングを可能にするための、例示的なネットワークを例示する図である。
【図２】特定の実施形態による、非アクティブ状態にあるＵＥのページングを可能にするための、ネットワークの例示的な一部分を例示する図である。
【図３】特定の実施形態による、非アクティブ状態にあるＵＥのページングを可能にするための、例示的なシーケンス図を例示する図である。
【図４】特定の実施形態による、非アクティブ状態にあるＵＥのページングを可能にするための、例示的なネットワークノードを例示する図である。
【図５】特定の実施形態による、非アクティブ状態にあるＵＥのページングを可能にするための、ネットワークノードによる例示的な方法を例示する図である。
【図６】特定の実施形態による、非アクティブ状態にあるＵＥのページングを可能にするための、例示的なコンピュータネットワーキング仮想装置を例示する図である。
【図７】特定の実施形態による、非アクティブ状態にあるＵＥのページングを可能にするための、ネットワークノードによる別の例示的な方法を例示する図である。
【図８】特定の実施形態による、非アクティブ状態にあるＵＥのページングを可能にするための、別の例示的なコンピュータネットワーキング仮想装置を例示する図である。
【図９】特定の実施形態による、非アクティブ状態にある間にページを受信するための、例示的なＵＥを例示する図である。
【図１０】特定の実施形態による、非アクティブ状態にある間にページを受信するための、ＵＥによる例示的な方法を例示する図である。
【図１１】特定の実施形態による、非アクティブ状態にある間にページを受信するための、例示的なコンピュータネットワーキング仮想装置を例示する図である。
【図１２】特定の実施形態による、例示的な無線ネットワークコントローラまたはコアネットワークノードを例示する図である。
【発明を実施するための形態】
【００１９】
本開示の特有の実施形態は、ＵＥが非アクティブ状態にある間に、ネットワークノードがユーザ機器（ＵＥ）にページを送信することよって、ページングオケージョンの整合を可能にする解決策を提供し得る。
【００２０】
特定の実施形態によれば、モバイル管理エンティティ（ＭＭＥ）として動作し得るコアネットワークノードは、ＵＥが接続状態にある間に、基地局を含み得るネットワークノードに、ＵＥ識別情報インデックス値を提供し得る。特有の実施形態では、ＵＥ識別情報インデックス値は、コアネットワーク（ＣＮ）または無線アクセスネットワーク（ＲＡＮ）インターフェース接続を介して提供され得る。後の段階において、Ｘ２インターフェースのような直接インターフェースを使用することなどによって、ＵＥがコアネットワークの関与なしにページングされる場合、ＵＥ識別情報インデックス値は、隣接ネットワークノード（すなわち、基地局）に送られるページング要求メッセージ中に含まれ得る。他の実施形態では、ＵＥは、ネットワークノードにＵＥ識別情報インデックス値を提供し得る。さらに、ＣＮからのＵＥ識別情報インデックス値の受信に続いて、ＵＥ識別情報インデックス値は、ＵＥが接続状態にある時間中に、および軽度接続状態にあるときに、ＲＡＮ中のＵＥコンテキストに記憶され得る。したがって、ＵＥ識別情報インデックス値は、ＵＥがエリアにわたって移動し、ＵＥコンテキスト転送のための手段によってサービングＲＡＮノードが変わるとき、あるＲＡＮノード（あるＲＡＮロケーション）から別のＲＡＮノードに移動され得る。
【００２１】
したがって、特定の実施形態は、たとえば、基地局が、（非アクティブＵＥについての事例である）ＲＡＮがページングメッセージをトリガすることを担うとき、ＵＥがページングをリッスンする時間を計算することを可能にし得る。特定の実施形態はまた、基地局が、ＵＥをページングすることを要求された別の基地局に、時間を指示することを可能にし得る。特定の実施形態はまた、同じＵＥ識別情報インデックス値が使用されるので、ＣＮトリガされるページングのためのページングオケージョンと同じページングオケージョンを、ＲＡＮトリガされるページングのために使用することを可能にし得る。したがって、特定の実施形態は、ＲＡＮページングとＣＮページングの両方を受信しているＵＥのバッテリ性能を最適化し得る。
【００２２】
特定の実施形態によれば、ネットワークノードは、非アクティブモードにあるＵＥをページングすることを別のネットワークノードに要求し得る。特有の実施形態では、たとえば、基地局は、ＵＥをページングすることを別の基地局に要求し得る。ＵＥ識別情報インデックス値が、ＵＥをページングするべきである基地局に提供されない限り、ＵＥがページングをリッスンしているときにページングメッセージが送られる可能性は低い。したがって、本明細書に記載された特定の実施形態は、ページングメッセージをいつ送るべきかを基地局が決定することが可能であるように、ページングを行うべきである基地局に、ＵＥ識別情報インデックス値を提供する。
【００２３】
本明細書で開示された実施形態のいずれかの任意の特徴は、適切であればいかなる場合も、任意の他の実施形態に適用され得ることに留意されたい。同じように、実施形態のいずれかの任意の利点は、他の実施形態に適用され得、その逆も同様である。同封の実施形態の他の目的、特徴、および利点は、以下の説明から明らかになろう。
【００２４】
一般に、本明細書で使用されるすべての用語は、本明細書で他に明示的に規定されない限り、技術分野におけるこれらの通常の意味にしたがって解釈されるべきである。「１つの（ａ／ａｎ）／その（ｔｈｅ）要素、装置、構成要素、手段、ステップ等」へのすべての参照は、他に明示的に述べられていない限り、要素、装置、構成要素、手段、ステップ等のうちの少なくとも１つのインスタンスを称するとしてオープンに解釈されるべきである。本明細書で開示された任意の方法のステップは、明示的に述べられていない限り、開示された正確な順序で実行される必要はない。
【００２５】
特有の実施形態が、図面の図１〜図１２に記載されており、様々な図面の同様の部分および対応する部分のために、同様の参照番号が使用されている。本明細書に記載された解決策は、任意の適した構成要素を使用するネットワークまたはシステムの任意の適切な種類において実施され得るが、図１は、特定の実施形態による、非アクティブ状態にあるＵＥのページングを可能にするための、例示的なネットワーク１００を例示する。
【００２６】
図１の例示的な実施形態では、無線通信ネットワーク１００は、通信および他の種類のサービスを、１つまたは複数の無線デバイス１１０に提供する。例示された実施形態では、無線通信ネットワーク１００は、無線通信ネットワーク１００によって提供されるサービスへの無線デバイスのアクセスおよび／またはその使用を容易にするネットワークノード１１５の１つまたは複数のインスタンスを含んでいる。無線通信ネットワーク１００はさらに、無線デバイス１１０間、またはＵＥ１１０と、固定電話のような別の通信デバイスとの間の通信をサポートするのに適した任意の追加の要素を含み得る。
【００２７】
ネットワーク１２０は、１つまたは複数のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、大都市圏ネットワーク、および、デバイス間の通信を可能にするための他のネットワークを備え得る。
【００２８】
無線通信ネットワーク１００は、任意の種類の通信、電気通信、データ、セルラ、および／または、無線ネットワーク、あるいは他の種類のシステムを表し得る。特有の実施形態では、無線通信ネットワーク１００は、特定の規格または他の種類のあらかじめ定義された規則もしくは手順にしたがって動作するように設定され得る。したがって、無線通信ネットワーク１００の特有の実施形態は、グローバル移動体通信システム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または、他の適切な２Ｇ、３Ｇ、４Ｇ、または５Ｇ規格のような通信規格、ＩＥＥＥ  ８０２．１１規格のような無線ローカルエリアネットワーク（ＷＬＡＮ）規格、および／または、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、Ｂｌｕｅｔｏｏｔｈ、および／またはＺｉｇＢｅｅ規格のような任意の他の適切な無線通信規格を実施し得る。
【００２９】
図１は、特有の実施形態による、ネットワークノード１１５およびＵＥ１１０の詳細図を例示する。簡単のために、図１は、ネットワーク１２０、ネットワークノード１１５、１１５Ａ、およびＵＥ１１０のみを描写している。ネットワークノード１１５は、プロセッサ１２５、記憶装置１３０、インターフェース１３５、およびアンテナ１４０を備えている。同様に、ＵＥ１１０は、プロセッサ１４５、記憶装置１５０、インターフェース１５５、およびアンテナ１６０を備えている。これらの構成要素は、無線通信ネットワーク１００内に無線接続を提供するように、ネットワークノードおよび／または無線デバイスに機能を提供するためにともに作動し得る。異なる実施形態では、無線通信ネットワーク１００は、任意の数の有線または無線ネットワーク、ネットワークノード、基地局、コントローラ、無線デバイス、リレー局、ならびに／あるいは、有線接続または無線接続を介してのいずれにせよ、データおよび／または信号の通信を容易にし、またはそれに参加する任意の他の構成要素を含み得る。
【００３０】
本明細書で使用されるとき、「ネットワークノード」は、ＵＥ１１０への無線アクセスを可能および／または提供する、ＵＥ１１０とおよび／または無線通信ネットワーク１００内の他の機器と直接または間接的に通信するように可能な、設定された、構成された、および／または、動作可能な機器を称する。ネットワークノード１１５の例は、限定されないが、特に無線アクセスポイントにおけるアクセスポイント（ＡＰ）を含んでいる。特有の実施形態では、ネットワークノード１１５は、無線基地局のような基地局（ＢＳ）を表し得る。無線基地局の特有の例は、ノードＢ、およびエボルブドノードＢ（ｅＮＢ）を含んでいる。基地局は、基地局が提供するカバレッジの量（または、言い換えれば、これらの送信電力レベル）に基づいて分類され得、その後、フェムト基地局、ピコ基地局、マイクロ基地局、またはマクロ基地局とも称され得る。「ネットワークノード」は、集中型デジタルユニット、および／または、リモート無線ヘッド（ＲＲＨ）と称されることもあるリモートラジオユニット（ＲＲＵ）のような分散型無線基地局の１つまたは複数（またはすべて）の部分も含んでいる。このようなリモートラジオユニットは、アンテナ一体型無線機としてアンテナと一体化されても、されなくてもよい。分散型無線基地局の一部は、分散型アンテナシステム（ＤＡＳ）内のノードとも称され得る。
【００３１】
特有の非限定的な例として、ネットワークノード１１５は、リレーを制御するリレーノードまたはリレードナーノードであり得る。
【００３２】
ネットワークノード１１５のさらなる例は、マルチスタンダード無線（ＭＳＲ）  ＢＳのようなＭＳＲ無線機器、無線ネットワークコントローラ（ＲＮＣ）または基地局コントローラ（ＢＳＣ）のようなネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／またはＭＤＴを含んでいる。しかしながら、より一般的には、ネットワークノード１１５は、無線通信ネットワーク１００へのＵＥ１１０のアクセスを可能および／または提供するように、または、無線通信ネットワーク１００にアクセスした無線デバイスへのいくつかのサービスを提供するように可能な、設定された、構成された、および／または、動作可能な任意の適切なデバイス（または、デバイスのグループ）を表し得る。
【００３３】
本明細書で使用されるとき、「無線ノード」という用語は、各々がそれぞれ本明細書に記載されたように、無線デバイス１１０とネットワークノード１１５との両方を称するために一般的に使用され得る。
【００３４】
図１に表されているように、および上述したように、ネットワークノード１１５は、プロセッサ１２５、記憶装置１３０、インターフェース１３５、およびアンテナ１４０を含んでいる。これらの構成要素は、１つの大きなボックス内に配置された単一のボックスとして描写されている。しかしながら、実際には、ネットワークノード１１５は、単一の例示された構成要素を構成する多数の異なる物理的構成要素を備え得る。たとえば、インターフェース１３５は、有線接続のためのワイヤを結合するための端子と、無線接続のための無線トランシーバとを備え得る。別の例として、ネットワークノード２００は、ネットワークノード１１５の機能を提供するために多数の異なる物理的に別々の構成要素が相互作用する仮想的なネットワークノードであり得る。たとえば、プロセッサ１２５は、３個の別々のエンクロージャ内に配置された３個の別々のプロセッサを備え得、各プロセッサは、ネットワークノード１１５の特有のインスタンスのために、異なる機能を担う。同様に、ネットワークノード１１５は、多数の物理的に別々の構成要素から構成され得る。たとえば、ネットワークノード１１５は、ノードＢ構成要素およびＲＮＣ構成要素、ＢＴＳ構成要素およびＢＳＣ構成要素、または、各々が独自のそれぞれのプロセッサ、記憶装置、およびインターフェース構成要素を有し得る他の適切な構成要素から構成され得る。ネットワークノード１１５が、たとえば、ＢＴＳおよびＢＳＣ構成要素のような、多数の別々の構成要素を備える特定のシナリオでは、別々の構成要素のうちの１つまたは複数が、いくつかのネットワークノード１１５の間で共有され得る。たとえば、単一のＲＮＣが、多数のノードＢを制御し得る。このようなシナリオでは、各一意のノードＢとＢＳＣとのペアは、別々のネットワークノード１１５であり得る。
【００３５】
いくつかの実施形態では、ネットワークノード１１５は、多数の無線アクセス技術（ＲＡＴ）をサポートするように設定され得る。このような実施形態では、いくつかの構成要素が複製され得る。たとえば、ネットワークノード１１５は、異なるＲＡＴのために、別々の記憶装置１３０を含み得る。追加または代替として、いくつかの構成要素が再使用され得る。たとえば、特有の実施形態では、同じアンテナ１４０が、ＲＡＴによって共有され得る。
【００３６】
プロセッサ１２５は、マイクロプロセッサ、コントローラ、マイクロコントローラ、中央処理装置、デジタル信号プロセッサ、特定用途向け集積回路、フィールドプログラマブルゲートアレイ、または、任意の他の適切なコンピューティングデバイス、リソース、または、単独または他のネットワークノード１１５と連携して、記憶装置１３０、ネットワークノード１１５機能のような構成要素を提供するように動作可能なハードウェア、ソフトウェア、および／または、符号化ロジックの組合せのうちの１つまたは複数の組合せであり得る。たとえば、プロセッサ１２５は、記憶装置１３０に記憶された命令を実行し得る。このような機能は、本明細書に開示された特徴または利点のいずれかを含む、本明細書で論じられた様々な無線特徴をＵＥ１１０に提供することを含み得る。
【００３７】
記憶装置１３０は、限定しないが、永久記憶装置、ソリッドステートメモリ、リモートマウントメモリ、磁気媒体、光学媒体、ランダムアクセスメモリ（ＲＡＭ）、読出専用メモリ（ＲＯＭ）、リムーバブルメディア、または任意の他の適切なローカルもしくはリモートメモリ構成要素を含む任意の形態の揮発性または不揮発性のコンピュータ可読メモリを備え得る。記憶装置１３０は、ネットワークノード１１５によって利用されるソフトウェアおよび符号化ロジックを含む任意の適切な命令、データまたは情報を記憶し得る。記憶装置１３０は、プロセッサ１２５によって行われた任意の計算、および／または、インターフェース１３５を介して受信された任意のデータを記憶するために使用され得る。
【００３８】
ネットワークノード１１５は、ネットワークノード１１５、ネットワーク１１５ａ、および／またはＵＥ１１０の間のシグナリングおよび／またはデータの有線通信または無線通信において使用され得る、インターフェース１３５をも備える。たとえば、インターフェース１３５は、ネットワークノード１１５が有線接続を介してネットワーク１２０とデータを送受信することを可能にするために必要とされ得る任意のフォーマット、コーディング、または変換を実行し得る。インターフェース１３５はまた、アンテナ１４０に結合され得るか、またはアンテナ１４０の一部であり得る無線送信機および／または受信機を含み得る。無線機は、無線接続を介して他のネットワークノードまたは無線デバイスに送信されるべきデジタルデータを受信し得る。無線機は、デジタルデータを、適切なチャネルおよび帯域幅パラメータを有する無線信号に変換し得る。特有の実施形態では、無線信号はその後、アンテナ１４０を介して、たとえばＵＥ１１０のような適切な受信者に送信され得る。
【００３９】
アンテナ１４０は、データおよび／または信号を無線で送受信することができる任意の種類のアンテナであり得る。いくつかの実施形態では、アンテナ１４０は、たとえば２ＧＨｚと６６ＧＨｚとの間で無線信号を送信／受信するように動作可能な１つまたは複数の全方向性のセクタまたはパネルアンテナを備え得る。全方向性アンテナは、無線信号を任意の方向に送信／受信するために使用され得、セクタアンテナは、特有のエリア内のデバイスから無線信号を送信／受信するために使用され得、パネルアンテナは、比較的直線的に無線信号を送信／受信するために使用される視線アンテナであり得る。
【００４０】
本明細書で使用されるとき、「無線デバイス」は、ネットワークノード１１５および／または別のＵＥ１１０と無線で通信するように可能な、設定された、構成された、および／または、動作可能なデバイスを称する。無線通信は、電磁信号、電波、赤外線信号、および／または、空気を介して情報を伝達するのに適した他の種類の信号を使用して、無線信号を送信および／または受信することを含み得る。特有の実施形態では、無線デバイス１１０は、直接的な人間の対話なしに情報を送信および／または受信するように設定され得る。たとえば、ＵＥ１１０は、内部または外部のイベントによってトリガされたとき、またはネットワークからの要求に応答して、あらかじめ決定されたスケジュールで、ネットワークに情報を送信するように設計され得る。一般に、ＵＥ１１０は、無線通信のために可能な、設定された、構成された、および／または、動作可能な任意のデバイス、たとえば、無線通信デバイスを表し得る。無線デバイス１１０の例は、限定されないが、スマートフォンのようなＵＥを含んでいる。さらなる例は、無線カメラ、無線対応タブレットコンピュータ、ラップトップ内蔵機器（ＬＥＥ）、ラップトップ搭載機器（ＬＭＥ）、ＵＳＢドングル、および／または、無線顧客宅内機器（ＣＰＥ）を含んでいる。
【００４１】
１つの具体例として、無線デバイスは、第３世代パートナーシッププロジェクト（３ＧＰＰ）のＧＳＭ、ＵＭＴＳ、ＬＴＥ、および／または５Ｇ規格のような、３ＧＰＰによって公布された１つまたは複数の通信規格にしたがって通信するように設定されたＵＥを表し得る。本明細書で使用されるとき、「ユーザ機器」または「ＵＥ」は、関連するデバイスを所有および／または操作する人間のユーザという意味で必ずしも「ユーザ」を有するとは限らない。そうではなく、ＵＥは、人間のユーザへの販売または人間のユーザによる操作が意図されているが、最初は、特定の人間のユーザに関連付けられていないことがあるデバイスを表し得る。
【００４２】
ＵＥ１１０は、たとえばサイドリンク通信のために３ＧＰＰ規格を実施することによって、デバイスツーデバイス（Ｄ２Ｄ）通信をサポートし得、この場合、Ｄ２Ｄ通信デバイスと称され得る。
【００４３】
さらに別の具体例として、モノのインターネット（ＩｏＴ）シナリオでは、ＵＥ１１０は、監視および／または測定を実行し、このような監視および／または測定の結果を別の無線デバイスおよび／またはネットワークノードに送信するマシンまたは他のデバイスを表し得る。この場合、ＵＥ１１０は、マシンツーマシン（Ｍ２Ｍ）デバイスであり得、これは、３ＧＰＰのコンテキストでは、マシンタイプ通信（ＭＴＣ）デバイスと称され得る。１つの特有の例として、ＵＥ１１０は、３ＧＰＰ狭帯域モノのインターネット（ＮＢ−ＩｏＴ）規格を実施するＵＥであり得る。このようなマシンまたはデバイスの特有の例は、センサ、電力計のような計量デバイス、産業機械類、あるいは、たとえば、冷蔵庫、テレビ、腕時計のような個人用ウェアラブルのような、家庭用または個人用の電化製品、あるいは他のデバイスである。他のシナリオでは、ＵＥ１１０は、その動作状態またはその動作に関連付けられた他の機能を監視および／または報告することが可能である車両または他の機器を表し得る。
【００４４】
上述したようなＵＥ１１０は、無線接続の終点を表し得、この場合、デバイスは、無線端末と称され得る。さらに、上述したようなＵＥ１１０は、モバイルであり得、この場合、モバイルデバイスまたはモバイル端末とも称され得る。
【００４５】
図１に描写されているように、ＵＥ１１０は、任意の種類の無線終点、移動局、モバイル電話、無線ローカルループ電話、スマートフォン、ユーザ機器、デスクトップコンピュータ、ＰＤＡ、セル電話、タブレット、ラップトップ、ＶｏＩＰ電話またはハンドセットであり得、ネットワークノード１１５のようなネットワークノードおよび／または他の無線デバイスとの間でデータおよび／または信号を無線で送受信することができる。ＵＥ１１０は、プロセッサ１４５、記憶装置１５０、インターフェース１５５、およびアンテナ１６０を備えている。ネットワークノード１１５と同様に、ＵＥ１１０の構成要素は、単一のより大きなボックス内に配置された単一のボックスとして描写されているが、実際には、ＵＥ１１０は、例示された単一の構成要素を構成する多数の異なる物理的構成要素を備え得る。たとえば、記憶装置１５０は、多数の個別のマイクロチップを含み、各マイクロチップは、全記憶容量の一部を表す。
【００４６】
プロセッサ１４５は、ＵＥ１１０機能を提供するために、マイクロプロセッサ、コントローラ、マイクロコントローラ、中央処理装置、デジタル信号プロセッサ、特定用途向け集積回路、フィールドプログラマブルゲートアレイ、または、単独で、または記憶装置１５０のような他のＵＥ１１０の構成要素と組み合わせて、提供するように動作可能な、任意の他の適切なコンピューティングデバイス、リソース、またはハードウェア、ソフトウェア、および／または符号化ロジックの組合せ、のうちの１つまたは複数の組合せであり得る。このような機能は、本明細書に開示された特徴または利点のいずれかを含む、本明細書で論じられた様々な無線特徴を提供することを含み得る。
【００４７】
記憶装置１５０は、限定しないが、永久記憶装置、ソリッドステートメモリ、リモートマウントメモリ、磁気媒体、光学媒体、ランダムアクセスメモリ（ＲＡＭ）、読出専用メモリ（ＲＯＭ）、リムーバブルメディア、または任意の他の適切なローカルまたはリモートのメモリ構成要素を含む任意の形態の揮発性または不揮発性メモリであり得る。記憶装置１５０は、ＵＥ１１０によって利用されるソフトウェアおよび符号化ロジックを含む任意の適切なデータ、命令、または情報を記憶し得る。記憶装置１５０は、プロセッサ１４５によって行われた任意の計算、および／または、インターフェース１５５を介して受信された任意のデータを記憶するために使用され得る。
【００４８】
インターフェース１５５は、ＵＥ１１０とネットワークノード１１５との間のシグナリングおよび／またはデータの無線通信において使用され得る。たとえば、インターフェース１１５は、ＵＥ１１０が無線接続を介してネットワークノード１１５とデータを送受信することを可能にするために必要とされ得る任意のフォーマット、コーディング、または変換を実行し得る。インターフェース１５５はまた、アンテナ１６０に結合され得るか、またはアンテナ１６０の一部であり得る無線送信機および／または受信機を含み得る。無線機は、無線接続を介してネットワークノード１１５に送信されるべきデジタルデータを受信し得る。無線機は、デジタルデータを、適切なチャネルおよび帯域幅パラメータを有する無線信号に変換し得る。無線信号は、その後、アンテナ１６０を介して、ネットワークノード１１５に送信され得る。
【００４９】
アンテナ１６０は、データおよび／または信号を無線で送受信することができる任意の種類のアンテナであり得る。いくつかの実施形態では、アンテナ１６０は、２ＧＨｚから６６ＧＨｚの間の無線信号を送信／受信するように動作可能な１つまたは複数の全方向性のセクタまたはパネルアンテナを備え得る。簡略のために、アンテナ１６０は、無線信号が使用されている限りにおいては、インターフェース１５５の一部と見なされ得る。
【００５０】
特定の実施形態では、ネットワークノード１１５は、無線ネットワークコントローラ（図１中に図示せず）とインターフェースし得る。無線ネットワークコントローラは、ネットワークノード１１５を制御し得、特定の無線リソース管理機能、モビリティ管理機能、および／または他の適切な機能を提供し得る。特定の実施形態では、無線ネットワークコントローラの機能は、ネットワークノード１１５に含まれ得る。無線ネットワークコントローラは、コアネットワークノードとインターフェースし得る。特定の実施形態では、無線ネットワークコントローラは、相互接続ネットワークを介してコアネットワークノードとインターフェースし得る。相互接続ネットワークは、オーディオ、ビデオ、信号、データ、メッセージ、または前述の任意の組合せを送信することが可能な相互接続システムを称し得る。相互接続ネットワークは、公衆交換電話網（ＰＳＴＮ）、パブリックまたはプライベートデータネットワーク、ローカルエリアネットワーク（ＬＡＮ）、大都市圏ネットワーク（ＭＡＮ）、広域ネットワーク（ＷＡＮ）、インターネット、ワイヤラインまたは無線ネットワークのようなローカル、地域、またはグローバル通信またはコンピュータネットワーク、企業イントラネット、あるいはこれらの組合せを含む任意の他の適切な通信リンクの全部または一部分を含み得る。
【００５１】
いくつかの実施形態では、コアネットワークノードは、無線デバイス１１０のための通信セッションの確立および様々な他の機能を管理し得る。無線デバイス１１０は、非アクセス層レイヤを使用して特定の信号をコアネットワークノードと交換し得る。非アクセス層シグナリングでは、無線デバイス１１０とコアネットワークノードとの間の信号は、無線アクセスネットワークを通して透過的に受け渡され得る。特定の実施形態では、ネットワークノード１１５は、ノード間インターフェースを介して１つまたは複数のネットワークノードとインターフェースし得る。たとえば、ネットワークノード１１５と１１５Ａとは、Ｘ２インターフェースを介してインターフェースし得る。
【００５２】
ネットワークノード１１５、無線デバイス１１０、および（無線ネットワークコントローラまたはコアネットワークノードのような）他のネットワークノードの他の例示的な実施形態は、それぞれ図４、図９、および図１２に関してより詳細に説明される。
【００５３】
図１は、ネットワーク１００の特有の構成を例示しているが、本開示は、本明細書に記載された様々な実施形態を、任意の適切な構成を有する様々なネットワークに適用され得ることを考慮している。たとえば、ネットワーク１００は、任意の適切な数の無線デバイス１１０およびネットワークノード１１５、ならびに無線デバイス間の通信、または無線デバイスと（固定電話のような）別の通信デバイスとの間の通信をサポートするのに適した追加の要素を含み得る。さらに、特定の実施形態がロングタームエボリューション（ＬＴＥ）ネットワークにおいて実施されるものとして説明され得るが、実施形態は、任意の適切な通信規格をサポートし、任意の適切な構成要素を使用する任意の適切な種類の電気通信システムにおいて実施され得、無線デバイスが信号（たとえば、データ）を受信および／または送信する無線アクセス技術（ＲＡＴ）またはマルチＲＡＴシステムに適用可能である。たとえば、本明細書に記載された様々な実施形態は、ＬＴＥ、ＬＴＥアドバンスト、ＬＴＥ−Ｕ  ＵＭＴＳ、ＨＳＰＡ、ＧＳＭ、ｃｄｍａ２０００、ＷｉＭａｘ、ＷｉＦｉ、別の適切な無線アクセス技術、あるいは１つまたは複数の無線アクセス技術の任意の適切な組合せに適用可能であり得る。特定の実施形態はダウンリンクにおける無線送信のコンテキストにおいて説明され得るが、本開示は、様々な実施形態がアップリンクにおいて等しく適用可能であることを考慮しており、その逆も同様である。
【００５４】
本明細書に記載された技法は、ライセンス免除チャネルにおけるＬＡＡ  ＬＴＥ動作とスタンドアロンＬＴＥ動作の両方に適用可能である。記載された技法は、一般に、ネットワークノード１１５と無線デバイス１１０の両方からの送信に適用可能である。
【００５５】
図２は、特定の実施形態による、非アクティブ状態にあるＵＥ１１０のページングを可能にするための、ネットワーク２００の例示的な一部分を例示する。描写されているように、ネットワーク２００の一部分は、コアネットワークノード２０２と、基地局を含み得る２つのネットワークノード２０４Ａ〜２０４Ｂとを含んでいる。ネットワークノード２０４Ａとネットワークノード２０４Ｂとの間に、直接インターフェース２０６が存在する。特有の実施形態では、直接インターフェース２０６は、Ｘ２インターフェースと称され得る。特有の実施形態では、直接インターフェースは、ＬＴＥのためのＳ１インターフェースと称され得る。５Ｇ  ＮＲの場合、直接インターフェースは、Ｎ２またはＮＧ−Ｃと称され得る。特有の実施形態では、ＵＥ１１０は、ネットワークノード２０４Ａによって非アクティブモードに設定されており、ネットワークノード２０４Ａは、非アクティブＵＥ１１０に関連付けられたＵＥコンテキストを有する。特有の実施形態では、ＵＥ識別情報インデックス値（ＵＥ＿ＩＤ）は、以下のように、ＴＳ３６．３０４で論じられたように国際モバイル加入者識別情報（ＩＭＳＩ）に基づいて計算され得る。
ＵＥ＿ＩＤ：
Ｐ−ＲＮＴＩがＰＤＣＣＨ上で監視される場合、ＩＭＳＩ  ｍｏｄ  １０２４。
Ｐ−ＲＮＴＩがＮＰＤＣＣＨ上で監視される場合、ＩＭＳＩ  ｍｏｄ  ４０９６。
Ｐ−ＲＮＴＩがＭＰＤＣＣＨ上で監視される場合、ＩＭＳＩ  ｍｏｄ  １６３８４。
【００５６】
特定の実施形態によれば、ＩＭＳＩは、ＵＥ１１０およびコアネットワークノード２０２に知られ得る。しかしながら、セキュリティの理由により、ＩＭＳＩは、一般に、ネットワークノード２０４Ａ〜２０４Ｂにとって利用可能でない。非アクティブＵＥをサポートしないネットワークのようなレガシーネットワークでは、コアネットワークは、常にＵＥをページングし、常に、ページングメッセージ中にＵＥ識別情報インデックス値を含んでいる。ネットワークノード２０４Ａ〜２０４Ｂは、ＩＭＳＩまたはＵＥ識別情報インデックス値を有しないので、ネットワークノード２０４Ａ〜２０４Ｂは、ページを、ネットワークに接続するＵＥに関連付けることが可能でない。非アクティブＵＥの場合、それらのＵＥは、コアネットワークによってまれにページングされ得る。したがって、基地局間のモビリティを提供するために、この情報は、新しい基地局にとって利用可能にされ得る。
【００５７】
特定のＬＴＥ実施形態によれば、ネットワークノード２０４Ａおよび／または２０４ＢにＵＥ＿ＩＤを伝達するために、いくつかのメッセージが使用され得る。ＵＥ識別情報インデックス値が送られ得る、ＴＳ３６．４１３のＳ１ＡＰ２におけるメッセージのいくつかの例は、以下を含んでいる。
・初期コンテキストセットアップ要求
・ダウンリンクＮＡＳトランスポート
・ハンドオーバ要求
・経路切替え要求肯定応答
【００５８】
特定の実施形態によれば、ＵＥ識別情報インデックス値は、代替または追加として、ネットワークノード２０４Ａとネットワークノード２０４Ｂとの間の直接インターフェース２０６上で提供され得る。上記でおよびＴＳ３６．４２３で論じられたように、ＬＴＥでは、直接インターフェース２０６は、Ｘ２インターフェースである。特有の実施形態では、ＵＥ識別情報インデックス値は、ＵＥコンテキストが移動されるとき、直接インターフェース２０６を介して転送され得る。使用され得るメッセージの例は、ハンドオーバ要求および／またはＵＥコンテキスト検索応答（Ｒｅｔｒｉｅｖｅ  ＵＥ  Ｃｏｎｔｅｘｔ  Ｒｅｓｐｏｎｓｅ）を含んでいる。
【００５９】
特有の実施形態では、コアネットワーク２０２は、ネットワークノード２０４Ａおよび／または２０４Ｂに、ＵＥ識別情報インデックス値を送り得る。別の実施形態では、ネットワークノード２０４Ａまたは２０４Ｂは、ネットワークノード２０４Ａまたは２０４Ｂのうちの他方に、ＵＥ識別情報インデックス値を提供し得る。さらに他の実施形態では、ＵＥ１１０は、追加または代替として、ネットワークノード２０４Ａおよび／または２０４Ｂに、ＵＥ識別情報インデックス値を提供し得る。
【００６０】
図３は、特定の実施形態による、非アクティブ状態にあるＵＥ１１０のページングを可能にするための、例示的なシーケンス図を例示する。特有の描写された実施形態では、第１のネットワークノード２０４Ａおよび第２のネットワークノード２０４Ｂは、それぞれ、第１の基地局および第２の基地局（ＢＳ１およびＢＳ２）である。
【００６１】
３０２において、ＵＥ識別情報インデックス値が、第１のネットワークノード２０４Ａ（ＢＳ１）に提供される。３０４において、第１のネットワークノード２０４Ａ（ＢＳ１）は、ＵＥ１１０を非アクティブモードに設定する。ＵＥ１１０が接触される必要があるという指示を第１のネットワークノード２０４Ａ（ＢＳ１）が受信したとき、第１のネットワークノード２０４Ａ（ＢＳ１）は、ＵＥ１１０をページングする。
【００６２】
図３に描写されているように、第１のネットワークノード２０４Ａ（ＢＳ１）は、追加または代替として、３０６において、第２のネットワークノード２０４Ｂ（ＢＳ２）に、ＵＥ１１０をページングすることを要求するための要求を、第２のネットワークノード２０４Ｂ（ＢＳ２）に送り得る。このような実施形態では、ＵＥ１１０がいつページングされるべきかを第２のネットワークノード２０４Ｂ（ＢＳ２）が計算することを可能にするために、ＵＥ識別情報インデックス値は、第２のネットワークノード２０４Ｂ（ＢＳ２）に送信されるＸ２ページング要求中に含まれ得る。ページングメッセージは、３０８において、第２のネットワークノード２０４Ｂ（ＢＳ２）からＵＥ１１０に送られる。
【００６３】
図４は、特定の実施形態による、非アクティブ状態にあるＵＥ１１０のページングを可能にするための、別の例示的なネットワークノード２０４Ａ〜２０４Ｂを例示する。上述したように、ネットワークノード２０４Ａ〜２０４Ｂは、無線デバイスおよび／または別のネットワークノードと通信する、任意の種類の無線ネットワークノードまたは任意のネットワークノードであり得る。ネットワークノード２０４Ａ〜２０４Ｂの例は、上記に提供されている。
【００６４】
ネットワークノード２０４Ａ〜２０４Ｂは、ホモジニアス配置、ヘテロジニアス配置、または混在配置としてネットワーク１００全体にわたって配置され得る。ホモジニアス配置は、一般に、同じ（または類似の）種類のネットワークノード２０４Ａ〜２０４Ｂおよび／または類似のカバレッジおよびセルサイズおよびサイト間距離からなる配置を表し得る。ヘテロジニアス配置は、一般に、異なるセルサイズ、送信電力、容量、およびサイト間距離を有する様々な種類のネットワークノード２０４Ａ〜２０４Ｂを使用する配置を表し得る。たとえば、ヘテロジニアス配置は、マクロセルレイアウト全体にわたって配置された複数の低電力ノードを含み得る。混在配置は、ホモジニアスな部分とヘテロジニアスな部分との混在を含み得る。
【００６５】
ネットワークノード２０４Ａ〜２０４Ｂは、トランシーバ４１０、プロセッサ４２０、メモリ４３０、およびネットワークインターフェース４４０のうちの１つまたは複数を含み得る。いくつかの実施形態では、トランシーバ４１０は、（たとえば、アンテナを介して）ＵＥ１１０との間の無線信号の送受信を容易にし、プロセッサ４２０は、ネットワークノード２０４Ａ〜２０４Ｂによって提供されるものとして上述した機能のいくつかまたはすべてを提供する命令を実行し、メモリ４３０は、プロセッサ４２０によって実行される命令を記憶し、ネットワークインターフェース４４０は、ゲートウェイ、スイッチ、ルータ、インターネット、公衆交換電話網（ＰＳＴＮ）、コアネットワークノード、または無線ネットワークコントローラ等のようなバックエンドネットワーク構成要素に信号を通信する。
【００６６】
特定の実施形態では、ネットワークノード２０４Ａ〜２０４Ｂは、マルチアンテナ技術を使用することができ、複数のアンテナを装備され得、ＭＩＭＯ技術をサポートすることができる。１つまたは複数のアンテナは、制御可能な偏波を有し得る。言い換えれば、各要素は、異なる偏波（たとえば、交差偏波におけるような９０度の間隔）を有する２個の同じ場所に配置されたサブ要素を有し得、これによって、異なるセットのビームフォーミング重みが、放射された波に、異なる偏波を与える。
【００６７】
プロセッサ４２０は、命令を実行し、データを操作して、ネットワークノード２０４Ａ〜２０４Ｂの記載された機能のいくつかまたはすべてを実行するために、１つまたは複数のモジュールにおいて実施されるハードウェアおよびソフトウェアの任意の適切な組合せを含み得る。いくつかの実施形態では、プロセッサ４２０は、たとえば、１つまたは複数のコンピュータ、１つまたは複数の中央処理装置（ＣＰＵ）、１つまたは複数のマイクロプロセッサ、１つまたは複数のアプリケーション、および／または、他のロジックを含み得る。
【００６８】
メモリ４３０は、一般に、コンピュータプログラムと、ソフトウェアと、ロジック、ルール、アルゴリズム、コード、表等のうちの１つまたは複数を含むアプリケーションとのような命令、および／または、プロセッサによる実行が可能な他の命令を記憶するように動作可能である。メモリ４３０の例は、コンピュータメモリ（たとえば、ランダムアクセスメモリ（ＲＡＭ）または読出専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、情報を記憶する任意の他の揮発性または不揮発性、非一時的コンピュータ可読および／またはコンピュータ実行可能メモリデバイスを含んでいる。
【００６９】
いくつかの実施形態では、ネットワークインターフェース４４０は、プロセッサ４２０に通信可能に結合されており、ネットワークノード２０４Ａ〜２０４Ｂのための入力を受信し、ネットワークノード２０４Ａ〜２０４Ｂからの出力を送信し、入力または出力または両方の適切な処理を実行し、他のデバイスへ通信し、または、前述の任意の組合せを行うように動作可能な任意の適切なデバイスを称し得る。ネットワークインターフェース４４０は、ネットワークを介して通信するために、プロトコル変換およびデータ処理機能を含む適切なハードウェア（たとえば、ポート、モデム、ネットワークインターフェースカード等）およびソフトウェアを含み得る。
【００７０】
ネットワークノード４００の他の実施形態は、上述した機能のうちのいずれか、および／または、任意の追加の機能（上述した解決策をサポートするために必要な任意の機能を含む）を含む、無線ネットワークノードの機能の特定の態様を提供することを担い得る、図４に図示されるもの以外の追加の構成要素を含み得る。様々な異なる種類のネットワークノードは、同じ物理的ハードウェアを有するが、異なる無線アクセス技術をサポートするように（たとえば、プログラミングによって）設定された構成要素を含み得るか、または、部分的または全体的に異なる物理的構成要素を表し得る。これに加えて、第１および第２という用語は、例示目的でのみ提供されており、相互置換可能であり得る。
【００７１】
図５は、特定の実施形態による、非アクティブ状態にあるＵＥ１１０のページングを可能にするための、第１のネットワークノード２０４Ａによる例示的な方法５００を例示する。方法は、ステップ５０２で始まり、第１のネットワークノード２０４Ａは、ＵＥが接続状態にある間に、またはＵＥのための初期コンテキストセットアップ中に、ＵＥのためのＵＥ識別情報インデックス値を受信する。
【００７２】
特有の実施形態では、接続状態は、以下のように明示する、ＴＳ３８．３００、バージョン１０１、セクション９．２．２．１に記載されているような軽度接続状態である。
【００７３】
ＲＲＣ＿ＩＮＡＣＴＩＶＥは、ＵＥが、ＣＭ−ＣＯＮＮＥＣＴＥＤのままであり、ＮＧ−ＲＡＮ（ＲＮＡ）に通知することなしに、ＮＧ−ＲＡＮによって設定されたエリア内に移動することができる状態である。ＲＲＣ＿ＩＮＡＣＴＩＶＥにおいて、最後のサービングＮＧ−ＲＡＮノードは、ＵＥコンテキストと、サービングＡＭＦおよびＵＰＦとのＵＥ関連ＮＧ接続とを保持する。ＵＥが、設定されたＲＮＡの外側に移動する場合、ＵＥはネットワークに通知する。
【００７４】
別の実施形態では、軽度接続状態は、ＵＥ１１０が、ＥＣＭ−ＣＯＮＮＥＣＴＥＤのままであり、ＲＡＮに通知することなしに、ＲＡＮによって設定された無線通知エリア（ＲＮＡ：Ｒａｄｉｏ  Ｎｏｔｉｆｉｃａｔｉｏｎ  Ａｒｅａ）内に移動することができる状態であり得る。軽度接続状態において、最後のサービングＲＡＮノードは、ＵＥコンテキストと、コアノード２０２のようなサービングＭＭＥとのＵＥ関連接続とを保持し得る。ＵＥ１１０が、設定されたＲＮＡの外側に移動する場合、ＵＥ１１０はネットワークに通知し得る。
【００７５】
特有の実施形態では、ＵＥ識別情報インデックス値は、ステップ５０２において、コアネットワークノード２０２からのメッセージ中で受信され得る。たとえば、ＵＥ識別情報インデックス値は、ハンドオーバ要求、初期コンテキストセットアップ要求、ダウンリンクＮＡＳトランスポートメッセージ、または経路切替え要求肯定応答メッセージ中で受信され得る。別の実施形態では、ＵＥ識別情報インデックス値は、ＵＥ１１０から受信され得る。さらに別の実施形態では、ＵＥ識別情報インデックス値は、第２のネットワークノード２０４Ｂから第１のネットワークノード２０４ＡへのＵＥ１１０のハンドオーバにおいて、第１のネットワークノードがターゲット基地局であり、第２のネットワークノード２０４Ｂがソース基地局である場合のように、第２のネットワークノード２０４Ａから受信され得る。特有の実施形態では、ＵＥ識別情報インデックス値は、第１のネットワークノード２０４Ａと第２のネットワークノード２０４Ｂとの間のＸ２インターフェース２０６を介して、第２のネットワークノード２０４Ｂから受信され得る。
【００７６】
ステップ５０４において、第１のネットワークノード２０４ＡはＵＥ識別情報インデックス値を記憶する。特定の実施形態によれば、ＵＥ識別情報インデックス値は、国際モバイル加入者識別情報（ＩＭＳＩ）、ＩＭＳＩの一部分、またはＩＭＳＩから導出されたチェックサムを含み得る。特有の実施形態では、ＵＥ識別情報インデックス値は、ＵＥ１１０の状態を接続されているものとして指示するＵＥコンテキストとともに記憶され得る。
【００７７】
ステップ５０６において、第１のネットワークノード２０４Ａは、ＵＥ１１０を接続状態から非アクティブ状態に遷移させる。特有の実施形態では、たとえば、第１のネットワークノード２０４Ａは、中断メッセージまたは解放メッセージをＵＥ１１０に送信し得る。中断メッセージまたは解放メッセージは、ＵＥ１１０に、非アクティブ状態またはスリープ状態に入るように命じ得る。
【００７８】
ステップ５０８において、第１のネットワークノード２０４Ａは、ＵＥ１１０にページを送信するためのページングオケージョンを決定するために、ＵＥ識別情報インデックス値を使用する。第１のネットワークノード２０４Ａは、その後、ステップ５１０において、ページングオケージョンにおいてＵＥ１１０にページを送信し得る。
【００７９】
特有の実施形態では、第１のネットワークノード２０４Ａは、第２のネットワークノード２０４Ｂからのページの送信のために、第２のネットワークノード２０４ＢにＵＥ識別情報インデックス値を提供し得る。特有の実施形態では、たとえば、第１のネットワークノード２０４Ａは、ページング要求中で、第２のネットワークノード２０４ＢにＵＥ識別情報インデックス値を提供し得る。特有の実施形態では、ＵＥ識別情報インデックス値は、第１のネットワークノード２０４Ａと第２のネットワークノード２０４Ｂとの間のＸ２インターフェースを介して、第２のネットワークノード２０４Ｂに送信され得る。
【００８０】
図５に描写されていないが、特有の実施形態では、第１のネットワークノード２０４Ａは、追加または代替として、ＵＥ１１０がまだ接続状態にある間に、第２のネットワークノード２０４ＢにＵＥ識別情報インデックス値を提供し得る。したがって、特有の実施形態では、第１のネットワークノード２０４Ａは、ＵＥが非アクティブ状態に遷移される前に、第２のネットワークノード２０４ＢにＵＥ識別情報インデックス値を提供し得る。特有の実施形態では、ＵＥ識別情報インデックス値は、ハンドオーバ要求、または第２のネットワークノード２０４ＢからのＵＥコンテキスト要求に対する応答を含む、メッセージ中で送信され得る。
【００８１】
特定の実施形態では、非アクティブ状態にあるＵＥ１１０のページングを可能にするための第１のネットワークノード２０４Ａによる方法は、上述したように、コンピュータネットワーキング仮想装置によって実行され得る。図６は、特定の実施形態による、非アクティブ状態にあるＵＥ１１０のページングを可能にするための、例示的なコンピュータネットワーキング仮想装置６００を例示する。特定の実施形態では、仮想的なコンピューティングデバイス６００は、図５に例示された記載された方法に関して上述したものと同様のステップを実行するためのモジュールを含み得る。たとえば、コンピュータネットワーキング仮想装置６００は、受信モジュール６１０、記憶モジュール６２０、遷移モジュール（ｔｒａｎｓｉｔｉｏｎｉｎｇ  ｍｏｄｕｌｅ）６３０、使用モジュール（ｕｓｉｎｇ  ｍｏｄｕｌｅ）６４０、送信モジュール６５０、および非アクティブ状態にあるＵＥ１１０のページングを可能にするための任意の他の適切なモジュールを含み得る。いくつかの実施形態では、モジュールのうちの１つまたは複数は、図１の１つまたは複数のプロセッサ１２５または図４の処理回路構成４２０を使用して実施され得る。特定の実施形態では、様々なモジュールのうちの２つ以上の機能が、単一のモジュールに組み合わされ得る。
【００８２】
受信モジュール６１０は、コンピュータネットワーキング仮想装置６００の受信機能を実行し得る。たとえば、特有の実施形態では、受信モジュール６１０は、ＵＥ１１０が接続状態にある間に、またはＵＥ１１０のための初期コンテキストセットアップ中に、ＵＥ１１０のためのＵＥ識別情報インデックス値を受信し得る。
【００８３】
記憶モジュール６２０は、コンピュータネットワーキング仮想装置６００の記憶機能を実行し得る。たとえば、特有の実施形態では、記憶モジュール６２０は、ＵＥ識別情報インデックス値を記憶し得る。
【００８４】
遷移モジュール６３０は、コンピュータネットワーキング仮想装置６００の遷移機能を実行し得る。たとえば、特有の実施形態では、遷移モジュール６３０は、ＵＥ１１０を接続状態から非アクティブ状態に遷移させ得る。
【００８５】
使用モジュール６４０は、コンピュータネットワーキング仮想装置６００の使用機能を実行し得る。たとえば、特有の実施形態では、使用モジュール６４０は、ＵＥ１１０にページを送信するためのページングオケージョンを決定するために、ＵＥ識別情報インデックス値を使用し得る。
【００８６】
送信モジュール６５０は、コンピュータネットワーキング仮想装置６００の送信機能を実行し得る。たとえば、特有の実施形態では、送信モジュール６５０は、ページングオケージョンにおいてＵＥ１１０にページを送信し得る。
【００８７】
コンピュータネットワーキング仮想装置６００の他の実施形態は、上述した機能のうちのいずれか、および／または、任意の追加の機能（上述した解決策をサポートするために必要な任意の機能を含む）を含む、ネットワークノードの機能の特定の態様を提供することを担い得る、図６に図示されるもの以外の追加の構成要素を含み得る。様々な異なる種類のネットワークノードは、同じ物理的ハードウェアを有するが、異なる無線アクセス技術をサポートするように（たとえば、プログラミングによって）設定された構成要素を含み得るか、または、部分的または全体的に異なる物理的構成要素を表し得る。
【００８８】
図７は、特定の実施形態による、非アクティブ状態にあるＵＥ１１０のページングを可能にするための、第１のネットワークノード２０４Ｂによる別の例示的な方法７００を例示する。方法は、ステップ７０２で始まり、第１のネットワークノード２０４Ｂは、第２のネットワークノード２０４Ａから、非アクティブ状態にあるＵＥ１１０のためのＵＥ識別情報インデックス値を受信する。特有の実施形態では、ＵＥ識別情報インデックス値は、ＩＭＳＩ、ＩＭＳＩの一部分、またはＩＭＳＩから導出されたチェックサムである。特有の実施形態では、ＵＥ識別情報インデックス値は、Ｘ２インターフェースを介して、第２のネットワークノードから受信される。特有の実施形態では、ＵＥ識別情報インデックス値は、第２のネットワークノード２０４Ａから、ページング要求とともに受信され得る。ステップ７０４において、第１のネットワークノード２０４Ｂは、非アクティブ状態にあるＵＥ１１０にページを送信するためのページングオケージョンを決定するために、ＵＥ識別情報インデックス値を使用する。ステップ７０６において、第１のネットワークノード２０４Ｂは、ページングオケージョンにおいて、非アクティブ状態にあるＵＥ１１０にページを送信する。
【００８９】
特定の実施形態では、非アクティブ状態にあるＵＥ１１０のページングを可能にするための第１のネットワークノード２０４Ｂによる方法は、上述したように、コンピュータネットワーキング仮想装置によって実行され得る。図８は、特定の実施形態による、非アクティブ状態にあるＵＥ１１０のページングを可能にするための、例示的なコンピュータネットワーキング仮想装置８００を例示する。特定の実施形態では、仮想的なコンピューティングデバイス８００は、図７に例示された記載された方法に関して上述したものと同様のステップを実行するためのモジュールを含み得る。たとえば、コンピュータネットワーキング仮想装置８００は、受信モジュール８１０、使用モジュール８２０、送信モジュール８３０、および非アクティブ状態にあるＵＥ１１０のページングを可能にするための任意の他の適切なモジュールを含み得る。いくつかの実施形態では、モジュールのうちの１つまたは複数は、図１の１つまたは複数のプロセッサ１２５または図４の処理回路構成４２０を使用して実施され得る。特定の実施形態では、様々なモジュールのうちの２つ以上の機能が、単一のモジュールに組み合わされ得る。
【００９０】
受信モジュール８１０は、コンピュータネットワーキング仮想装置８００の受信機能を実行し得る。たとえば、特有の実施形態では、受信モジュール８１０は、ＵＥ１１０が非アクティブ状態にある間に、ＵＥ１１０のためのＵＥ識別情報インデックス値を受信し得る。
【００９１】
使用モジュール８２０は、コンピュータネットワーキング仮想装置８００の使用機能を実行し得る。たとえば、特有の実施形態では、使用モジュール８２０は、ＵＥ１１０にページを送信するためのページングオケージョンを決定するために、ＵＥ識別情報インデックス値を使用し得る。
【００９２】
送信モジュール８３０は、コンピュータネットワーキング仮想装置８００の記憶機能を実行し得る。たとえば、特有の実施形態では、送信モジュール８３０は、ページングオケージョンにおいて、非アクティブ状態にあるＵＥ１１０にページを送信し得る。
【００９３】
コンピュータネットワーキング仮想装置８００の他の実施形態は、上述した機能のうちのいずれか、および／または、任意の追加の機能（上述した解決策をサポートするために必要な任意の機能を含む）を含む、ネットワークノードの機能の特定の態様を提供することを担い得る、図８に図示されるもの以外の追加の構成要素を含み得る。様々な異なる種類のネットワークノードは、同じ物理的ハードウェアを有するが、異なる無線アクセス技術をサポートするように（たとえば、プログラミングによって）設定された構成要素を含み得るか、または、部分的または全体的に異なる物理的構成要素を表し得る。
【００９４】
図９は、特定の実施形態による、ＵＥ１１０が非アクティブ状態にある間にページを受信するための、例示的なＵＥ１１０を例示する。描写されているように、ＵＥ１１０は、例示的な無線デバイスである。ＵＥ１１０は、アンテナ９０５、無線フロントエンド回路構成９１０、処理回路構成９１５、およびコンピュータ可読記憶媒体９３０を含んでいる。アンテナ９０５は、１つまたは複数のアンテナまたはアンテナアレイを含み得、無線信号を送信および／または受信するように設定され、無線フロントエンド回路構成９１０に接続されている。特定の代替実施形態では、ＵＥ１１０は、アンテナ９０５を含まなくてもよく、代わりに、アンテナ９０５は、ＵＥ１１０とは別々であり、インターフェースまたはポートを介してＵＥ１１０に接続可能であり得る。
【００９５】
無線フロントエンド回路構成９１０は、様々なフィルタおよび増幅器を含み得、アンテナ９０５および処理回路構成９１５に接続され、アンテナ９０５と処理回路構成９１５との間で通信される信号を調整するように設定される。特定の代替実施形態では、ＵＥ１１０は、無線フロントエンド回路構成９１０を含まなくてもよく、代わりに、処理回路構成９１５は、無線フロントエンド回路構成９１０なしでアンテナ９０５に接続され得る。
【００９６】
処理回路構成９１５は、無線周波数（ＲＦ）トランシーバ回路構成、ベースバンド処理回路構成、およびアプリケーション処理回路構成のうちの１つまたは複数を含み得る。いくつかの実施形態では、ＲＦトランシーバ回路構成、ベースバンド処理回路構成、およびアプリケーション処理回路構成は、別々のチップセット上にあり得る。代替実施形態では、ベースバンド処理回路構成およびアプリケーション処理回路構成の一部またはすべてが、１個のチップセットに組み合わされ得、ＲＦトランシーバ回路構成は、別々のチップセット上にあり得る。さらに別の実施形態では、ＲＦトランシーバ回路構成およびベースバンド処理回路構成の一部またはすべてが、同じチップセット上にあり得、アプリケーション処理回路構成が、別々のチップセット上にあり得る。さらに他の代替実施形態では、ＲＦトランシーバ回路構成、ベースバンド処理回路構成、およびアプリケーション処理回路構成の一部またはすべてが、同じチップセット内で組み合わされ得る。処理回路構成９１５は、たとえば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【００９７】
特有の実施形態では、無線デバイスによって提供されるものとして本明細書に記載された機能のうちのいくつかまたはすべては、コンピュータ可読記憶媒体９３０に記憶された命令を実行する処理回路構成９１５によって提供され得る。代替実施形態では、機能のうちのいくつかまたはすべては、ハードワイヤード方式におけるように、コンピュータ可読媒体に記憶された命令を実行することなく、処理回路構成９１５によって提供され得る。これらの特有の実施形態のいずれにおいても、コンピュータ可読記憶媒体に記憶された命令を実行するか否かに関わらず、処理回路構成は、記載された機能を実行するように設定されていると言える。このような機能によって提供される利点は、処理回路構成９１５単独またはＵＥ１１０の他の構成要素に限定されず、ＵＥ全体として、および／または一般にエンドユーザおよび無線ネットワークによって享受される。
【００９８】
アンテナ９０５、無線フロントエンド回路構成９１０、および／または処理回路構成９１５は、ＵＥ１１０によって実行されるものとして本明細書に記載された任意の受信動作を実行するように設定され得る。任意の情報、データおよび／または信号が、ネットワークノードおよび／または別のＵＥ１１０から受信され得る。
【００９９】
処理回路構成９１５は、ＵＥ１１０によって実行されるものとして本明細書に記載された任意の決定動作を実行するように設定され得る。処理回路構成３１５によって実行されるように決定することは、たとえば、取得された情報を他の情報に変換すること、取得された情報または変換された情報を、無線デバイスに記憶された情報と比較すること、および／または、取得された情報または変換された情報に基づいて、および前記処理が決定した結果として、１つまたは複数の動作を実行することによって、処理回路構成３１５によって取得された情報を処理することを含み得る。
【０１００】
アンテナ９０５、無線フロントエンド回路構成９１０、および／または処理回路構成９１５は、ＵＥ１１０によって実行されるものとして本明細書に記載された任意の送信動作を実行するように設定され得る。任意の情報、データおよび／または信号が、ネットワークノード１１５、２０４Ａ〜２０４Ｂおよび／または別のＵＥ１１０に送信され得る。
【０１０１】
コンピュータ可読記憶媒体９３０は、一般に、コンピュータプログラムと、ソフトウェアと、ロジック、ルール、コード、表等のうちの１つまたは複数を含むアプリケーションとのような命令、および／または、プロセッサによる実行が可能な他の命令を記憶するように動作可能である。コンピュータ可読記憶媒体９３０の例は、コンピュータメモリ（たとえば、ランダムアクセスメモリ（ＲＡＭ）または読出専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、情報、データ、および／または、処理回路構成９１５によって使用され得る命令を記憶する任意の他の揮発性または不揮発性、非一時的コンピュータ可読および／またはコンピュータ実行可能メモリデバイスを含んでいる。いくつかの実施形態では、処理回路構成９１５およびコンピュータ可読記憶媒体９３０は、統合されていると見なされ得る。
【０１０２】
ＵＥ９００の代替実施形態は、本明細書に記載された機能のいずれか、および／または、上述した解決策をサポートするために必要ないずれかの機能を含む、ＵＥの機能の特定の態様を提供することを担い得る、図９に図示されるもの以外の追加の構成要素を含み得る。単なる一例として、ＵＥ１１０は、入力インターフェース、デバイスおよび回路構成、ならびに出力インターフェース、デバイスおよび回路を含み得る。入力インターフェース、デバイス、および回路は、ＵＥ１１０への情報の入力を可能にするように設定され、処理回路構成９１５が、入力情報を処理することを可能にするように、処理回路構成９１５に接続される。たとえば、入力インターフェース、デバイス、および回路は、マイクロフォン、近接センサまたは他のセンサ、キー／ボタン、タッチディスプレイ、１つまたは複数のカメラ、ＵＳＢポート、または他の入力要素を含み得る。出力インターフェース、デバイス、および回路は、ＵＥ１１０からの情報の出力を可能にするように設定され、処理回路構成９１５が、ＵＥ１１０からの情報を出力することを可能にするように、処理回路構成９１５に接続される。たとえば、出力インターフェース、デバイス、または回路は、スピーカ、ディスプレイ、振動回路構成、ＵＳＢポート、ヘッドフォンインターフェース、または他の出力要素を含み得る。１つまたは複数の入出力インターフェース、デバイス、および回路を使用して、ＵＥ１１０は、エンドユーザおよび／または無線ネットワークと通信し、これらが、本明細書に記載された機能から利益を得ることを可能にし得る。
【０１０３】
別の例として、ＵＥ１１０は、電源９３５を含み得る。電源９３５は、電力管理回路構成を備え得る。電源９３５は、電源から電力を受け取り得、電源は、電源９３５に含まれるか、または電源９３５の外部にあり得る。たとえば、ＵＥ１１０は、電源９３５に接続されているかまたは電源９３５に統合されているバッテリまたはバッテリパックの形態で電源を備え得る。光起電力デバイスのような他の種類の電源も使用され得る。さらなる例として、ＵＥ１１０は、電気ケーブルのような入力回路構成またはインターフェースを介して（コンセントのような）外部電源に接続可能であり得、これによって、外部電源は電源９３５に電力を供給する。電源９３５は、無線フロントエンド回路構成９１０、処理回路構成９１５、および／または、コンピュータ可読記憶媒体９３０に接続され得、処理回路構成９１５を含むＵＥ１１０に、本明細書に記載された機能を実行するための電力を供給するように設定され得る。
【０１０４】
ＵＥ１１０はまた、たとえばＧＳＭ、ＷＣＤＭＡ、ＬＴＥ、ＮＲ、Ｗｉ−Ｆｉ、またはＢｌｕｅｔｏｏｔｈ無線技術のように、ＵＥ１１０に統合された異なる無線技術のための処理回路構成９１５、コンピュータ可読記憶媒体９３０、無線回路構成９１０、および／またはアンテナ９０５からなる多数のセットを含み得る。これらの無線技術は、ＵＥ１１０内の同じまたは異なるチップセットおよび他の構成要素に統合され得る。
【０１０５】
ＵＥ１１０の他の実施形態は、上述した機能のうちのいずれか、および／または、任意の追加の機能（上述した解決策をサポートするために必要な任意の機能を含む）を含む、無線デバイスの機能の特定の態様を提供することを担い得る、図９に図示されるもの以外の追加の構成要素を含み得る。
【０１０６】
図１０は、特定の実施形態による、非アクティブ状態にある間にページを受信するための、ＵＥ１１０による例示的な方法１０００を例示する。方法は、ステップ１００２で始まり、接続状態にある間に、ＵＥ１１０は、ネットワークノード２０４Ａ〜２０４Ｂに、ＵＥ識別情報インデックス値を送信する。特有の実施形態では、ＵＥ識別情報インデックス値は、ＩＭＳＩ、ＩＭＳＩの一部分、またはＩＭＳＩから導出されたチェックサムを含んでいる。その後、ＵＥ１１０は、非アクティブ状態に遷移され得る。
【０１０７】
ステップ１００４において、およびＵＥ１１０が非アクティブ状態にある間に、ＵＥ１１０は、ＵＥ識別情報インデックス値に基づいて、ネットワークノード２０４Ａ〜２０４Ｂからページを受信するためのページングオケージョンを決定する。
【０１０８】
ステップ１００６において、ＵＥ１１０は、ページングオケージョンにおいて、ネットワークノード２０４Ａ〜２０４Ｂからのページをリッスンする。特有の実施形態では、ＵＥ１１０は、ページングオケージョン中に、ネットワークノード２０４Ａ〜２０４Ｂから、ページを受信し得る。
【０１０９】
特定の実施形態では、非アクティブ状態にある間にページを受信するための方法は、上述したように、コンピュータネットワーキング仮想装置によって実行され得る。図１１は、特定の実施形態による、非アクティブ状態にある間にページを受信するための、例示的な仮想コンピューティングデバイス１１００を例示する。特定の実施形態では、仮想的なコンピューティングデバイス１１００は、図１０に例示された記載された方法に関して上述したものと同様のステップを実行するためのモジュールを含み得る。たとえば、仮想的なコンピューティングデバイス１１００は、送信モジュール１１０２、決定モジュール１１０４、リッスンモジュール（ｌｉｓｔｅｎｉｎｇ  ｍｏｄｕｌｅ）１１０６、および非アクティブ状態にある間にページを受信するための任意の他の適切なモジュールを含み得る。いくつかの実施形態では、モジュールのうちの１つまたは複数は、図１の１つまたは複数のプロセッサ１４５または図９の処理回路構成９１５を使用して実施され得る。特定の実施形態では、様々なモジュールのうちの２つ以上の機能が、単一のモジュールに組み合わされ得る。
【０１１０】
送信モジュール１１０２は、仮想的なコンピューティングデバイス１１００の送信機能を実行し得る。たとえば、特有の実施形態では、送信モジュール１１０２は、ＵＥが接続状態にある間に、ネットワークノード２０４Ａ〜２０４Ｂに、ＵＥ識別情報インデックス値を送信し得る。その後、ＵＥ１１０は、非アクティブ状態に遷移され得る。
【０１１１】
決定モジュール１１０４は、仮想的なコンピューティングデバイス１１００の決定機能を実行し得る。たとえば、特有の実施形態では、決定モジュール１１０４は、ＵＥ１１０が非アクティブ状態にある間に、ＵＥ識別情報インデックス値に基づいて、ネットワークノード２０４Ａ〜２０４Ｂからページを受信するためのページングオケージョンを決定し得る。
【０１１２】
リッスンモジュール１１０６は、仮想的なコンピューティングデバイス１１００のリッスン機能を実行し得る。たとえば、特有の実施形態では、リッスンモジュール１１０６は、ページングオケージョンにおいて、ネットワークノード２０４Ａ〜２０４Ｂからのページをリッスンし得る。
【０１１３】
仮想的なコンピューティングデバイス１１００の他の実施形態は、上述した機能のうちのいずれか、および／または、任意の追加の機能（上述した解決策をサポートするために必要な任意の機能を含む）を含む、無線デバイスの機能の特定の態様を提供することを担い得る、図１１に図示されるもの以外の追加の構成要素を含み得る。様々な異なる種類の無線デバイス１１０は、同じ物理的ハードウェアを有するが、異なる無線アクセス技術をサポートするように（たとえば、プログラミングを介して）設定された構成要素を含み得るか、または、部分的または全体的に異なる物理的構成要素を表し得る。
【０１１４】
図１２は、特定の実施形態による、例示的な無線ネットワークコントローラまたはコアネットワークノードを例示する。ネットワークノードの例は、モバイルスイッチングセンタ（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等を含むことができる。無線ネットワークコントローラまたはコアネットワークノード１２００は、処理回路構成１２２０、メモリ１２３０、およびネットワークインターフェース１２４０を含んでいる。いくつかの実施形態では、処理回路構成１２２０は、ネットワークノードによって提供されるものとして上述した機能のいくつかまたはすべてを提供する命令を実行し、メモリ１２３０は、処理回路構成１２２０によって実行される命令を記憶し、ネットワークインターフェース１２４０は、ゲートウェイ、スイッチ、ルータ、インターネット、公衆交換電話網（ＰＳＴＮ）、ネットワークノード１１５、無線ネットワークコントローラ、またはコアネットワークノード１２００等のような任意の適切なノードに信号を通信する。
【０１１５】
処理回路構成１２２０は、命令を実行し、データを操作して、無線ネットワークコントローラまたはコアネットワークノード１２００の記載された機能のいくつかまたはすべてを実行するために、１つまたは複数のモジュールにおいて実施されるハードウェアおよびソフトウェアの任意の適切な組合せを含み得る。いくつかの実施形態では、処理回路構成１２２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含み得る。
【０１１６】
メモリ１２３０は、一般に、コンピュータプログラムと、ソフトウェアと、ロジック、ルール、アルゴリズム、コード、表等のうちの１つまたは複数を含むアプリケーションとのような命令、および／または、プロセッサによる実行が可能な他の命令を記憶するように動作可能である。メモリ１２３０の例は、コンピュータメモリ（たとえば、ランダムアクセスメモリ（ＲＡＭ）または読出専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、情報を記憶する任意の他の揮発性または不揮発性、非一時的コンピュータ可読および／またはコンピュータ実行可能メモリデバイスを含んでいる。
【０１１７】
いくつかの実施形態では、ネットワークインターフェース１２４０は、処理回路構成１２２０に通信可能に結合されており、ネットワークノードのための入力を受信し、ネットワークノードからの出力を送信し、入力または出力または両方の適切な処理を実行し、他のデバイスへ通信し、または、前述の任意の組合せを行うように動作可能な任意の適切なデバイスを称し得る。ネットワークインターフェース１２４０は、ネットワークを介して通信するために、プロトコル変換およびデータ処理機能を含む適切なハードウェア（たとえば、ポート、モデム、ネットワークインターフェースカード等）およびソフトウェアを含み得る。
【０１１８】
ネットワークノードの他の実施形態は、上述した機能のうちのいずれか、および／または、任意の追加の機能（上述した解決策をサポートするために必要な任意の機能を含む）を含む、ネットワークノードの機能の特定の態様を提供することを担い得る、図１２に図示されるもの以外の追加の構成要素を含み得る。
【０１１９】
本開示の範囲から逸脱することなく、本明細書に記載されたシステムおよび装置に対して修正、追加、または省略が行われ得る。システムおよび装置の構成要素は、統合または分離され得る。その上、システムおよび装置の動作は、より多数の、より少数の、または他の構成要素によって実行され得る。さらに、システムおよび装置の動作は、ソフトウェア、ハードウェア、および／または他のロジックを含む任意の適切なロジックを使用して実行され得る。本明細書で使用されるとき、「各々」は、セットの各部材またはセットのサブセットの各部材を称する。
【０１２０】
本開示の範囲から逸脱することなく、本明細書に記載された方法に対して修正、追加、または省略が行われ得る。本明細書に記載された任意のステップまたは特徴は、単に特定の実施形態を例示するものである。すべての実施形態が、開示されたすべてのステップまたは特徴を組み込んでいることも、ステップが、本明細書に描写されまたは記載された正確な順序で実行されることも必要ではない。さらに、いくつかの実施形態は、本明細書に開示されたステップのうちの１つまたは複数に固有のステップを含む、本明細書に例示または記載されていないステップまたは特徴を含み得る。
【０１２１】
たとえば、上記の図面のうちの１つまたは複数に例示されている構成要素および機器によって実行され得る、任意の適切なステップ、方法、または機能が、コンピュータプログラム製品を介して実行され得る。たとえば、記憶装置１３０、記憶装置１５０、メモリ４３０、および／または記憶装置９３０は、コンピュータプログラムが記憶され得るコンピュータ可読手段を備え得る。コンピュータプログラムは、上述のプロセッサまたは処理回路構成（および、インターフェースおよび記憶装置のような任意の動作可能に結合されたエンティティおよびデバイス）のうちのいずれかに、本明細書に記載された実施形態にしたがう方法を実行させる命令を含み得る。したがって、コンピュータプログラムおよび／またはコンピュータプログラム製品は、本明細書に開示されている任意のステップを実行するための手段を提供し得る。
【０１２２】
１つまたは複数の機能モジュールを介して、任意の適切なステップ、方法、または機能が実行され得る。各機能モジュールは、ソフトウェア、コンピュータプログラム、サブルーチン、ライブラリ、ソースコード、または、たとえばプロセッサによって実行される任意の他の形態の実行可能命令を備え得る。いくつかの実施形態では、各機能モジュールは、ハードウェアおよび／またはソフトウェアで実施され得る。たとえば、１つまたは複数のまたはすべての機能モジュールは、場合によっては上述の記憶構成要素のうちのいずれか１つと協働して、上述のプロセッサのうちのいずれかによって実施され得る。したがって、プロセッサ、処理回路構成、記憶装置、およびメモリは、プロセッサおよび／または処理回路構成が、記憶装置および／またはメモリから命令をフェッチし、フェッチされた命令を実行して、それぞれの機能モジュールが、本明細書に開示された任意のステップまたは機能を実行できるように構成され得る。
【０１２３】
発明的な概念の特定の態様が、いくつかの実施形態を参照して主に上述された。しかしながら、当業者によって容易に理解されるように、上記で開示されたもの以外の実施形態も等しく可能であり、発明的な概念の範囲内である。同様に、多数の異なる組合せが論じられてきたが、すべての可能な組合せが開示されている訳ではない。当業者であれば、他の組合せが存在し、発明的な概念の範囲内にあることを理解するであろう。さらに、当業者に理解されるように、本明細書に開示された実施形態は、他の規格および通信システムにもそのまま適用可能であり、他の特徴に関して開示された特有の図面からの任意の特徴は、任意の他の図面に適用可能であり、異なる特徴と組み合わされ得る。
【０１２４】
したがって、実施形態の上記の説明は、本開示を制約しない。他の変更、置換、および改変が、以下の特許請求の範囲によって規定される、本開示の趣旨および範囲から逸脱することなく可能である。
【図１】
2019537368.tif 000003
【図２】
2019537368.tif 000004
【図３】
2019537368.tif 000005
【図４】
2019537368.tif 000006
【図５】
2019537368.tif 000007
【図６】
2019537368.tif 000008
【図７】
2019537368.tif 000009
【図８】
2019537368.tif 000010
【図９】
2019537368.tif 000011
【図１０】
2019537368.tif 000012
【図１１】
2019537368.tif 000013
【図１２】
2019537368.tif 000014
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
非アクティブ状態にあるユーザ機器（ＵＥ）（１１０）のページングを可能にするための第１のネットワークノード（２０４Ａ）による方法（５００）であって、前記方法が、
前記ＵＥが接続状態にある間に、または前記ＵＥのための初期コンテキストセットアップ中に、前記第１のネットワークノードによって、前記ＵＥのためのＵＥ識別情報インデックス値を前記ＵＥからのメッセージ中で受信することと、
前記ＵＥ識別情報インデックス値を記憶することと、
前記ＵＥを前記接続状態から非アクティブ状態に遷移させることと、
前記ＵＥにページを送信するためのページングオケージョンを決定するために、前記ＵＥ識別情報インデックス値を使用することと、
前記ページングオケージョンにおいて、前記ＵＥに前記ページを送信することと
を含む、方法（５００）。
【請求項２】
前記接続状態が軽度接続状態を含む、請求項１に記載の方法。
【請求項３】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項１または２に記載の方法。
【請求項４】
前記ＵＥ識別情報インデックス値を記憶することが、前記ＵＥの状態を接続されているものとして指示するＵＥコンテキストとともに、前記ＵＥ識別情報インデックス値を記憶することを含む、請求項１から３のいずれか一項に記載の方法。
【請求項５】
第２のネットワークノード（２０４Ｂ）による前記ＵＥへの前記ページの送信のために、前記第１のネットワークノードによって、前記ＵＥ識別情報インデックス値を前記第２のネットワークノードに送信すること
をさらに含む、請求項１から４のいずれか一項に記載の方法。
【請求項６】
前記ＵＥ識別情報インデックス値が、ページング要求中で前記第２のネットワークノードに送信される、請求項５に記載の方法。
【請求項７】
前記ＵＥを前記非アクティブ状態に遷移させる前に、および前記ＵＥが接続状態にある間に、前記第１のネットワークノードによって、前記ＵＥ識別情報インデックス値を第２のネットワークノードに送信すること
をさらに含む、請求項１から４のいずれか一項に記載の方法。
【請求項８】
前記ＵＥ識別情報インデックス値が、メッセージ中で前記第２のネットワークノードに送信され、前記メッセージが、
ハンドオーバ要求、または
前記第２のネットワークノードからのＵＥコンテキスト要求に対する応答
を含む、請求項７に記載の方法。
【請求項９】
前記第１のネットワークノードが、ターゲットネットワークノードであり、前記ＵＥのための前記ＵＥ識別情報インデックス値が、ソースネットワークノードから受信される、請求項１から６のいずれか一項に記載の方法。
【請求項１０】
前記ＵＥ識別情報インデックス値が、Ｘ２インターフェース（２０６）を介して、前記第１のネットワークノードによって受信されるか、または前記第２のネットワークノードに送信される、請求項７から９のいずれか一項に記載の方法。
【請求項１１】
前記ＵＥを前記接続状態から前記非アクティブ状態に遷移させることは、
中断メッセージまたは解放メッセージを前記ＵＥに送信することであって、前記中断メッセージまたは前記解放メッセージが、前記ＵＥに、前記非アクティブ状態またはスリープ状態に入るように命じる、送信すること
を含む、請求項１から１０のいずれか一項に記載の方法。
【請求項１２】
非アクティブ状態にあるユーザ機器（ＵＥ）（１１０）のページングを可能にするための第１のネットワークノード（２０４Ａ）であって、前記ネットワークノードが、
命令を記憶するメモリ（４３０）と、
前記第１のネットワークノードに、
前記ＵＥが接続状態にある間に、または前記ＵＥのための初期コンテキストセットアップ中に、前記ＵＥのためのＵＥ識別情報インデックス値を前記ＵＥからのメッセージ中で受信することと、
前記ＵＥ識別情報インデックス値を記憶することと、
前記ＵＥを前記接続状態から非アクティブ状態に遷移させることと、
前記ＵＥにページを送信するためのページングオケージョンを決定するために、前記ＵＥ識別情報インデックス値を使用することと、
前記ページングオケージョンにおいて、前記ＵＥに前記ページを送信することと
を行わせるために、前記命令を実行するように構成された処理回路構成（４２０）と
を備える、第１のネットワークノード（２０４Ａ）。
【請求項１３】
前記接続状態が軽度接続状態を含む、請求項１２に記載の第１のネットワークノード。
【請求項１４】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項１２または１３に記載の第１のネットワークノード。
【請求項１５】
前記ＵＥ識別情報インデックス値を記憶することが、前記ＵＥの状態を接続されているものとして指示するＵＥコンテキストとともに、前記ＵＥ識別情報インデックス値を記憶することを含む、請求項１２から１４のいずれか一項に記載の第１のネットワークノード。
【請求項１６】
前記処理回路構成が、前記第１のネットワークノードに、
第２のネットワークノード（２０４Ｂ）による前記ＵＥへの前記ページの送信のために、前記ＵＥ識別情報インデックス値を前記第２のネットワークノードに送信すること
を行わせるために、前記命令を実行するようにさらに構成された、請求項１２から１５のいずれか一項に記載の第１のネットワークノード。
【請求項１７】
前記ＵＥ識別情報インデックス値が、ページング要求中で前記第２のネットワークノードに送信される、請求項１６に記載の第１のネットワークノード。
【請求項１８】
前記処理回路構成が、前記第１のネットワークノードに、
前記ＵＥを前記非アクティブ状態に遷移させる前に、および前記ＵＥが接続状態にある間に、前記ＵＥ識別情報インデックス値を第２のネットワークノードに送信すること
を行わせるために、前記命令を実行するようにさらに構成された、請求項１２から１５のいずれか一項に記載の第１のネットワークノード。
【請求項１９】
前記ＵＥ識別情報インデックス値が、メッセージ中で前記第２のネットワークノードに送信され、前記メッセージが、
ハンドオーバ要求、または
前記第２のネットワークノードからのＵＥコンテキスト要求に対する応答
を含む、請求項１８に記載の第１のネットワークノード。
【請求項２０】
前記第１のネットワークノードが、ターゲットネットワークノードであり、前記ＵＥのための前記ＵＥ識別情報インデックス値が、ソースネットワークノードから受信される、請求項１２から１７のいずれか一項に記載の第１のネットワークノード。
【請求項２１】
前記ＵＥ識別情報インデックス値が、Ｘ２インターフェース（２０６）を介して、前記第１のネットワークノードによって受信されるか、または前記第２のネットワークノードに送信される、請求項１８から２０のいずれか一項に記載の第１のネットワークノード。
【請求項２２】
前記ＵＥを前記接続状態から前記非アクティブ状態に遷移させることは、
中断メッセージまたは解放メッセージを前記ＵＥに送信することであって、前記中断メッセージまたは前記解放メッセージが、前記ＵＥに、前記非アクティブ状態またはスリープ状態に入るように命じる、送信すること
を含む、請求項１２から２１のいずれか一項に記載の第１のネットワークノード。
【請求項２３】
非アクティブ状態にあるユーザ機器（ＵＥ）(１１０)をページングするための第１のネットワークノード（２０４Ｂ）による方法（７００）であって、前記方法が、
第２のネットワークノード（２０４Ａ）から、前記非アクティブ状態にある前記ＵＥのためのＵＥ識別情報インデックス値を受信することと、
前記非アクティブ状態にある前記ＵＥにページを送信するためのページングオケージョンを決定するために、前記ＵＥ識別情報インデックス値を使用することと、
前記ページングオケージョンにおいて、前記非アクティブ状態にある前記ＵＥに前記ページを送信することと
を含む、方法（７００）。
【請求項２４】
前記ＵＥ識別情報インデックス値が、ページング要求とともに前記第２のネットワークノードから受信される、請求項２３に記載の方法。
【請求項２５】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項２３または２４に記載の方法。
【請求項２６】
前記ＵＥ識別情報インデックス値が、Ｘ２インターフェース（２０６）を介して、前記第２のネットワークノードから受信される、請求項２３から２５のいずれか一項に記載の方法。
【請求項２７】
非アクティブ状態にあるユーザ機器（ＵＥ）（１１０）のページングのための第１のネットワークノード（２０４Ｂ）であって、前記第１のネットワークノードが、
命令を記憶するメモリ（４３０）と、
前記第１のネットワークノードに、
第２のネットワークノード（２０４Ａ）から、前記非アクティブ状態にある前記ＵＥのためのＵＥ識別情報インデックス値を受信することと、
前記非アクティブ状態にある前記ＵＥにページを送信するためのページングオケージョンを決定するために、前記ＵＥ識別情報インデックス値を使用することと、
前記ページングオケージョンにおいて、前記非アクティブ状態にある前記ＵＥに前記ページを送信することと
を行わせるために、前記命令を実行するように構成された処理回路構成（４２０）と
を備える、第１のネットワークノード（２０４Ｂ）。
【請求項２８】
前記ＵＥ識別情報インデックス値が、ページング要求とともに前記第２のネットワークノードから受信される、請求項２７に記載の第１のネットワークノード。
【請求項２９】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項２７または２８に記載の第１のネットワークノード。
【請求項３０】
前記ＵＥ識別情報インデックス値が、Ｘ２インターフェース（２０６）を介して、前記第２のネットワークノードから受信される、請求項２７から２９のいずれか一項に記載の第１のネットワークノード。
【請求項３１】
非アクティブ状態にある間にページを受信するためのユーザ機器（ＵＥ）（１１０）による方法（１０００）であって、前記方法が、
前記ＵＥのためのＵＥ識別情報インデックス値を、ネットワークノード（２０４Ａ、２０４Ｂ）に送信することと、
前記ＵＥ識別情報インデックス値に基づいて、前記ネットワークノードからページを受信するためのページングオケージョンを決定することと、
前記ＵＥ識別情報インデックス値に基づいて決定された前記ページングオケージョンにおいて、前記ネットワークノードからの前記ページをリッスンすることと
を含む、方法（１０００）。
【請求項３２】
前記ＵＥ識別情報インデックス値に基づいて決定されたページングオケージョンにおいて、前記ネットワークノードから前記ページを受信すること
をさらに含む、請求項３１に記載の方法。
【請求項３３】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項３１または３２に記載の方法。
【請求項３４】
非アクティブ状態にある間にページを受信するためのユーザ機器（ＵＥ）（１１０）であって、前記ＵＥが、
命令を記憶する記憶装置（９３０）と、
前記ＵＥに、
前記ＵＥのためのＵＥ識別情報インデックス値を、ネットワークノード（２０４Ａ、２０４Ｂ）に送信することと、
前記ＵＥ識別情報インデックス値に基づいて、前記ネットワークノードからページを受信するためのページングオケージョンを決定することと、
前記ＵＥ識別情報インデックス値に基づいて決定された前記ページングオケージョンにおいて、前記ネットワークノードからの前記ページをリッスンすることと
を行わせるために、前記命令を実行するように構成された処理回路構成（９２０）と
を備える、ユーザ機器（ＵＥ）（１１０）。
【請求項３５】
前記ＵＥ識別情報インデックス値に基づいて決定されたページングオケージョンにおいて、前記ネットワークノードから前記ページを受信すること
をさらに備える、請求項３４に記載のＵＥ。
【請求項３６】
前記ＵＥ識別情報インデックス値が、
国際モバイル加入者識別情報（ＩＭＳＩ）、
ＩＭＳＩの一部分、または
前記ＩＭＳＩから導出されたチェックサム
を含む、請求項３４または３５に記載のＵＥ。
【国際調査報告】
2019537368.tif 000015
2019537368.tif 000016
2019537368.tif 000017